(57)【要約】【解決手段】錠剤カプセルに挿入される可撓性回路は、バッテリの第１端子と電気的に接続する電気接点を有する第１の部分と、バッテリの第２端子と電気的に接続する電気接点を有する第２の部分と、第１の部分と第２の部分とを分離する長さを有する第１のアームと、第１のアンテナを含む第３の部分と、第１の部分と第３の部分とを隔てる長さを有する第２のアームと、第２のアンテナを含む第４の部分と、第１の部分と第４の部分とを隔てる長さを有する第３のアームと、第３のアンテナを含む第５の部分とを備え、第１の部分、第２の部分、および第１のアームは、折り畳まれた構成の第１のレセプタクルを形成し、第１のレセプタクルはバッテリを受け、第３の部分、第４の部分、および第５の部分は、折り畳まれた構成で第２のレセプタクルを形成し、第２のレセプタクルは、キューブフェライトコアを受ける。【代表図】図１
2020507357.tif 000002
【特許請求の範囲】
【請求項１】
バッテリの第１端子と電気的に接続するように構成された電気接点を有する第１の部分と、
前記バッテリの第２端子と電気的に接続するように構成された電気接点を有する第２の部分と、
前記第１の部分と前記第２の部分とを分離する長さを有する第１のアームと、
第１のアンテナを含む第３の部分と、
前記第１の部分と前記第３の部分とを隔てる長さを有する第２のアームと、
第２のアンテナを含む第４の部分と、
前記第１の部分と前記第４の部分とを隔てる長さを有する第３のアームと、
第３のアンテナを含む第５の部分と、を備え、
錠剤カプセルに挿入されるように構成された可撓性回路であって、
前記第１の部分、前記第２の部分、および前記第１のアームは、折り畳まれた構成の第１のレセプタクルを形成するように構成され、
前記第１のレセプタクルは前記バッテリを受けるように構成され、
前記第３の部分、前記第４の部分、および前記第５の部分は、折り畳まれた構成で第２のレセプタクルを形成するように構成され、
前記第２のレセプタクルは、キューブフェライトコアを受けるように構成されていることを特徴とする可撓性回路。
【請求項２】
前記第１の部分は、前記折り畳み構成において前記第２の部分と実質的に平行に配置されている、請求項１に記載の可撓性回路。
【請求項３】
前記第５の部分は、前記折り畳み構成において前記第１の部分および前記第２の部分と実質的に平行に配置されている、請求項１または２に記載の可撓性回路。
【請求項４】
前記第３の部分は、前記折り畳み構成において前記第４の部分に対して実質的に垂直に配置され、前記第５の部分は、前記折り畳み構成において前記第３の部分および前記第４の部分に対して実質的に垂直に配置される、請求項１に記載の可撓性回路。 。
【請求項５】
前記第１のアンテナは、第１の送信信号を第１の方向に送信するように構成され、
前記第２のアンテナは、第２の送信信号を第２の方向に送信するように構成され、
前記第３のアンテナは、第３の送信信号を第３の方向に送信するように構成される、請求項１から４のいずれか一項に記載の可撓性回路。
【請求項６】
前記第１の方向が、前記第２の方向および前記第３の方向に対して実質的に垂直であり、
前記第２の方向が、前記第１の方向および前記第３の方向に対して実質的に垂直であり、
前記第３の方向が、前記第１の方向および前記第２の方向に対して実質的に垂直である、請求項５に記載の可撓性回路。
【請求項７】
前記第１のレセプタクルは、前記第１のアームの長さに比例した容積を有する、請求項１から６のいずれか一項に記載の可撓性回路。
【請求項８】
前記バッテリが前記第１のレセプタクル内に配置されている、請求項１から７のいずれか一項に記載の可撓性回路。
【請求項９】
前記第２のレセプタクル内に配置された前記フェライトコアをさらに備える、請求項１から８のいずれか一項に記載の可撓性回路。
【請求項１０】
前記可撓性回路がカメラユニットと一体化されている、請求項１から９のいずれか一項に記載の可撓性回路。
【請求項１１】
光放射を検出し、検出された前記光放射に応答して電気部品の動作を起動するように構成されたフォトダイオードスイッチをさらに備え、前記フォトダイオードスイッチがオンに配置されている、請求項１から１０のいずれか一項に記載の可撓性回路。
【請求項１２】
請求項１に記載の可撓性回路を含む、錠剤カプセル。
【請求項１３】
前記錠剤カプセルが正の浮力を有する、請求項１２に記載の錠剤カプセル。
【請求項１４】
前記錠剤カプセルが負の浮力を有する、請求項１２または１３に記載の錠剤カプセル。
【請求項１５】
前記錠剤カプセルが中立浮力を有する、請求項１２から１４のいずれか一項に記載の錠剤カプセル。
【請求項１６】
第１の電気接点を有する第１の部分を折り曲げてバッテリの第１端子と電気的に接続する工程と、
第２の電気接点を有する第２の部分を折り曲げて前記バッテリの第２端子と電気的に接続する工程と、
前記第１の部分と前記第２の部分とを分離する長さを有し前記第１の部分と前記第２の部分との間に配置されている第１のアームを折り曲げる工程と、
キューブフェライトコアの第１の側に位置するように第３の部分を折り曲げる工程と、
前記キューブフェライトコアの第２の側に位置するように第４の部分を折り曲げる工程と、
前記キューブフェライトコアの第３の側に位置するように第５の部分を折り曲げる工程と、を含み、
錠剤カプセルへの挿入のために可撓性回路を折り畳む方法であって、
前記第３の部分は、折り畳み構成において、第１の送信信号を第１の方向に生成する第１のアンテナを含み、
前記第４の部分は、前記折り畳み構成において、第２の送信信号を第２の方向に生成する第２のアンテナを含み、
前記第５の部分は、前記折り畳み構成において、第３の送信信号を第３の方向に生成する第３のアンテナを含むことを特徴とする方法。
【請求項１７】
前記第１の部分は、前記折り畳み構成において前記第２の部分と実質的に平行に配置される、請求項１６に記載の方法。
【請求項１８】
前記第５の部分は、前記折り畳み構成において、前記第１の部分および前記第２の部分と実質的に平行に配置される、請求項１６または１７に記載の方法。
【請求項１９】
前記第３の部分が、前記折り畳み構成において、前記第４の部分および前記第５の部分に対して実質的に垂直に配置され、
前記第５の部分が、前記折り畳み構成において、前記第３の部分および前記第４の部分に対して実質的に垂直に配置される、請求項１６から１８のいずれか１項に記載の方法。折りたたみ構成
【請求項２０】
前記第１の方向が、前記第２の方向および前記第３の方向に対して実質的に垂直であり、
前記第２の方向が、前記第１の方向および前記第３の方向に対して実質的に垂直であり、
前記第３の方向が、前記第１の方向および前記第２の方向に対して実質的に垂直である、請求項１６から１９のいずれか一項に記載の方法。
【請求項２１】
前記バッテリの前記第１端子を前記第１の電気接点と電気的に接続し、前記バッテリの前記第２端子を前記第２の電気接点と電気的に接続するために、前記バッテリを挿入する工程をさらに含む、請求項１６から２０のいずれか一項に記載の方法。
【請求項２２】
前記第３の部分が前記キューブフェライトコアの前記第１の側に位置し、前記第４の部分が前記キューブフェライトコアの前記第２の側に位置し、前記第５の部分が前記キューブフェライトコアの前記第３の側に位置するように、前記キューブフェライトコアを挿入する工程をさらに含む、請求項１６から２１のいずれか一項に記載の方法。
【請求項２３】
バッテリの第１端子と電気的に接続するための第１の電気接点を有する第１の部分を製造する工程と、
前記バッテリの第２端子と電気的に接続するための第２の電気接点を有し、前記第１の部分と平行に配置された第２の部分を製造する工程と、
前記第１の部分と前記第２の部分との間に位置し、前記第１の部分と前記第２の部分に対して垂直に位置する前記第１の部分と前記第２の部分とを分離する長さを有する第１のアームを製造する工程と、
キューブフェライトコアの第１の側に配置される第３の部分を製造する工程と、
前記キューブフェライトコアの第２の側に配置され、前記第３の部分に対して垂直に配置される第４の部分を製造する工程と、
前記キューブフェライトコアの第３の側に配置され、前記第３の部分および前記第４の部分に対して垂直に配置される第５の部分を製造する工程と、を含み、
錠剤カプセルに挿入するための可撓性回路を製造する方法であって、
前記第３の部分は、第１の方向に第１の送信信号を生成するための第１のアンテナを備え、
前記第４の部分は、第２の方向に第２の送信信号を生成するための第２のアンテナを備え、そして
前記第５の部分は、第３の方向に第３の送信信号を生成するための第３のアンテナを備えることを特徴とする方法。
【請求項２４】
前記第１の方向が、前記第２の方向および前記第３の方向に対して実質的に垂直であり、
前記第２の方向が、前記第１の方向および前記第３の方向に対して実質的に垂直であり、
前記第３の方向が、前記第１の方向および前記第２の方向に対して実質的に垂直である、請求項２３に記載の方法。
【請求項２５】
光放射を検出し、検出された光放射に応答して電気部品の動作を起動するステップをさらに含み、フォトダイオードスイッチは光放射を検出して前記可撓性回路を起動するように構成される、請求項２３または２４に記載の方法。
【請求項２６】
前記バッテリの前記第１端子を前記第１の電気接点と電気的に接続し、前記バッテリの前記第２端子を前記第２の電気接点と電気的に接続するために、前記バッテリを挿入する工程をさらに含む、請求項２３から２５のいずれか一項に記載の方法。
【請求項２７】
前記第３の部分が前記キューブフェライトコアの前記第１の側に位置し、前記第４の部分が前記キューブフェライトコアの前記第２の側に位置し、そして前記第５の部分が前記キューブフェライトコアの前記第３の側に位置するように、前記キューブフェライトコアを挿入する工程をさらに含む、請求項２３から２６のいずれか一項に記載の方法。
【請求項２８】
折り畳まれた可撓性回路を受容するように構成された錠剤カプセルの位置を検出するためのシステムであって、該システムは、
バッテリの第１端子と電気的に接続するように構成された電気接点を有する第１の部分と、
前記バッテリの第２端子と電気的に接続するように構成された電気接点を有する第２の部分と、
第１のアンテナを含む第３の部分と、
第２のアンテナを含む第４の部分と、
第３のアンテナを含む第５の部分と、を備え、
前記第１の部分と前記第２の部分は第１レセプタクルを形成するように構成され、
前記第１のレセプタクルは前記バッテリを受けるように構成され、
前記第３の部分、前記第４の部分、および前記第５の部分は、第２レセプタクルを形成するように構成され、
前記第２のレセプタクルは、キューブフェライトコアを受けるように構成されていることを特徴とするシステム。
【請求項２９】
前記第１の部分が前記第２の部分と実質的に平行に配置されている、請求項２８に記載のシステム。
【請求項３０】
前記第５の部分は、前記第１の部分および前記第２の部分に対して実質的に平行に配置されている、請求項２８または２９に記載のシステム。
【請求項３１】
前記第３の部分が、前記第４の部分に対して実質的に垂直であり、
前記第５の部分が、前記第３の部分および前記第４の部分に対して実質的に垂直である、請求項２８から３０のいずれか一項に記載のシステム。
【請求項３２】
前記第１のアンテナは、第１の方向に第１の送信信号を送信するように構成され、
前記第２のアンテナは、第２の方向に第２の送信信号を送信するように構成され、
前記第３のアンテナは、第３の方向に第３の送信信号を送信するように構成される、請求項２８から３１のいずれか一項に記載のシステム。
【請求項３３】
前記第１の方向が、前記第２の方向および前記第３の方向に対して実質的に垂直であり、
前記第２の方向が、前記第１の方向および前記第３の方向に対して実質的に垂直であり、
前記第３の方向が、前記第１の方向および前記第２の方向に対して実質的に垂直である、請求項２８から３２のいずれか一項に記載のシステム。
【請求項３４】
前記第１のレセプタクル内に配置された前記バッテリをさらに備える、請求項２８から３３のいずれか一項に記載のシステム。
【請求項３５】
前記第２のレセプタクル内に配置された前記フェライトコアをさらに備える、請求項２８から３４のいずれか一項に記載のシステム。
【請求項３６】
前記可撓性回路の前記位置を決定するために前記送信信号のうちのいずれかを受信するように構成されたボディアンテナをさらに備える、請求項２８から３５のいずれか一項に記載のシステム。
【請求項３７】
光放射を検出し、検出された光放射に応答して電気部品の動作を起動するように構成されたフォトダイオードスイッチをさらに備え、前記フォトダイオードスイッチがオンに配置されている、請求項２８から３６のいずれか一項に記載のシステム。
【請求項３８】
前記錠剤カプセルが正の浮力を有する、請求項２８から３７のいずれか一項に記載のシステム。
【請求項３９】
前記錠剤カプセルが負の浮力を有する、請求項２８から３８のいずれか一項に記載のシステム。
【請求項４０】
前記錠剤カプセルが中立浮力を有する、請求項２８から３９のいずれか一項に記載のシステム。
【請求項４１】
基部と、
前記基部から延在し、前記基部の第１の側に折り畳むように構成される第１のアームと、
前記基部から延在し、前記第１の側とは反対側の第２の側に折り畳むように構成される第２のアームと、を備え、
錠剤カプセルに挿入されるように構成された可撓性回路であって、
前記基部、前記第１のアーム、および前記第２のアームは、折り畳み構成で第１の凹部および第２の凹部を形成するように構成され、
前記第１の凹部はバッテリを収容するように構成され、前記第２の凹部はフェライトコアを収容するように構成されていることを特徴とする可撓性回路。
【請求項４２】
前記第１のアームの長さは、前記バッテリの長さと前記フェライトコアの長さとの合計に実質的に等しい、請求項４１に記載の可撓性回路。
【請求項４３】
前記バッテリの第１の体積が前記第１の凹部と実質的に等しく、かつ、前記フェライトコアの第２の体積が前記第２の凹部と実質的に等しく、それによって空きスペースを減らす、請求項４１または４２に記載の可撓性回路。
【請求項４４】
前記基部、前記第１のアーム、および前記第２のアームによって形成される体積と、前記バッテリの体積および前記フェライトコアの体積と、の差分によって定義される空き容積が２０％未満である、請求項４１から４３のいずれか一項に記載の可撓性回路。。
【請求項４５】
前記空の容積が１０％未満である、請求項４４に記載の可撓性回路。
【請求項４６】
前記第１のアームが前記第２のアームと実質的に平行に配置されている、請求項４１から４５のいずれか一項に記載の可撓性回路。
【請求項４７】
前記基部が、前記第１のアームおよび前記第２のアームに対して実質的に垂直に配置されている、請求項４１から４６のいずれか一項に記載の可撓性回路。
【請求項４８】
第１の送信信号を第１の方向に送信するように構成された第１のアンテナと、
第２の送信信号を第２の方向に送信するように構成された第２のアンテナと、
第３の送信信号を第３の方向に送信するように構成された第３のアンテナと、をさらに備える、請求項４１から４７のいずれか一項に記載の可撓性回路。
【請求項４９】
前記第１の方向は、前記第２の方向および前記第３の方向に対して実質的に垂直であり、
前記第２の方向は、前記第１の方向および前記第３の方向に対して実質的に垂直であり、
前記第３の方向は、前記第１の方向および前記第２の方向に対して実質的に垂直である、請求項４１から４８のいずれか一項に記載の可撓性回路。
【請求項５０】
前記第１のレセプタクル内に配置された前記バッテリをさらに備える、請求項４１から４９のいずれか一項に記載の可撓性回路。
【請求項５１】
前記第２のレセプタクル内に配置された前記フェライトコアをさらに備える、請求項４１から５０のいずれか一項に記載の可撓性回路。
【請求項５２】
光放射を検出し、検出された光放射に応答して電気部品の動作を起動するように構成されたフォトダイオードスイッチをさらに備え、フォトダイオードスイッチがオンに配置されている、請求項４１から５１のいずれか一項に記載の可撓性回路。
【請求項５３】
請求項４１に記載の可撓性回路を有する錠剤カプセル。
【請求項５４】
前記錠剤カプセルが正の浮力を有する、請求項５３に記載の錠剤カプセル。
【請求項５５】
前記錠剤カプセルが負の浮力を有する、請求項５３または５４に記載の錠剤カプセル。
【請求項５６】
前記錠剤カプセルが中立浮力を有する、請求項５３から５５のいずれか一項に記載の錠剤カプセル。
【請求項５７】
患者に取り付けるためのボディアンテナであって、
１以上の巻き回数のアンテナコイルと、
電気コネクタに電気的に接続するように構成される受信回路と、
同調アンテナコイルを前記受信回路に電気的に接続するように構成されるブリッジと、
前記電気コネクタに物理的に取り付けるように構成された物理的取り付けタブと、を備えたボディアンテナ。
【発明の詳細な説明】
【技術分野】
【０００１】
本出願と共に提出された出願データシートにおいて外国または国内の優先権主張が特定されているありとあらゆる出願は、米国特許法施行規則第１．５７条の規定により、参照により本明細書に組み込まれる。本出願は、「ＦＬＥＸＩＢＬＥ  ＣＩＲＣＵＩＴ  ＦＯＲ  ＡＮＴＥＮＮＡ」と題され２０１７年２月１日に出願された米国仮特許出願第６２／４５３，２９１号の非仮特許出願として、米国特許法第１１９条（ｅ）に基づく優先権を主張する。本出願は、また、「ＮＥＡＲＬＹ  ＩＳＯＴＲＯＰＩＣ  ＤＩＰＯＬＥ  ＡＮＴＥＮＮＡ  ＳＹＳＴＥＭ」と題され２０１４年１０月２１日に出願された米国特許出願第１４／５２０，２１９号、「ＳＹＳＴＥＭ  ＡＮＤ  ＭＥＴＨＯＤＳ  ＦＯＲ  ＬＯＣＡＴＩＮＧ  ＲＥＬＡＴＩＶＥ  ＰＯＳＩＴＩＯＮＳ  ＯＦ  ＭＵＬＴＩＰＬＥ  ＰＡＴＩＥＮＴ  ＡＮＴＥＮＮＡＳ」と題され２０１３年８月１６日に出願された米国特許出願第１３／９６９，４２３号および「ＳＹＳＴＥＭ  ＡＮＤ  ＭＥＴＨＯＤ  ＦＯＲ  ＴＲＩＧＧＥＲＩＮＧ  Ａ  ＲＡＤＩＯＦＲＥＱＵＥＮＣＹ  ＴＲＡＮＳＣＥＩＶＥＲ  ＩＮ  ＴＨＥ  ＨＵＭＡＮ  ＢＯＤＹ」と題され２０１４年３月２４日に出願された米国特許出願第１４／６６７，５６３号に関連する。前述の各出願の開示内容は、参照によりその全体が本明細書に組み込まれる。
【背景技術】
【０００２】
人間の消化管を通る食物の移動は、さまざまな理由で妨げられたり遅くなったりする可能性がある。多くの場合、痛みはほとんどまたは全くないかもしれないが、それでも症状がすぐに識別されて治療されないと、症状は死に至ることがある。これらの状態の例としては、胃腸（ＧＩ）運動性異常、方向性流動問題、または腸閉塞が挙げられる。消化管運動障害の理由は数多くあり、腸管絞扼、神経障害、憩室炎、対麻痺、糖尿病性胃不全麻痺、化学療法、精神状態、および薬物相互作用がある。新生児から高齢者まで、一部またはすべての年齢の人々が影響を受ける可能性がある。
【発明の概要】
【０００３】
本開示を要約する目的で、特定の態様、利点および新規な特徴を本明細書に記載した。本明細書に開示された任意の特定の実施形態に従って、必ずしもすべてのそのような利点が達成できるわけではないことを理解されたい。したがって、本明細書に開示される実施形態は、必ずしも他の実施形態を達成することなく、本明細書に教示または示唆されるような１つの利点または複数の利点を達成または最適化する方法で、実施または実行できる。
【０００４】
特定の実施形態では、患者によって飲み込まれた錠剤を見つけるためのシステムは、身体用アンテナ、モジュール式電子ユニット（ＭＥＵ）、および錠剤を備えてもよい。錠剤は、電子機器、アンテナ、バッテリ、および包装をさらに備えてもよい。現在のシステムおよび方法は、第１に、ヒトまたは動物によって摂取され得る錠剤に焦点を当てている。本出願では、錠剤の位置は、患者の体に装着されているか、近くに配置されているアンテナまたはセンサによって決定できる。現在のシステムは、錠剤生成および現場センサ測定を容易にし、これによって錠剤位置を決定し錠剤を追跡する能力を向上させる。目的は、錠剤の動きを追跡して、胃腸運動の異常、方向性のある流れの問題、または腸の閉塞があるかどうかを判断することである。本体アンテナによって収集された信号は、モジュール式電子ユニット（ＭＥＵ）に送信される。
【課題を解決するための手段】
【０００５】
特定の実施形態において、錠剤カプセルに挿入することができる可撓性回路は、バッテリの第１端子と電気的に接続するように構成された電気接点を含む第１の部分と、バッテリの第２端子と電気的に接続するように構成された電気接点を有する第２の部分と、第１の部分と第２の部分とを分離する長さを有する第１のアームと、第１のアンテナを有する第３の部分と、第１の部分と第３の部分とを分離する長さを有する第２のアームと、第２のアンテナを有する第４の部分と、第１の部分と第４の部分とを隔てる長さを有する第３のアーム、および第３のアンテナを有する第５の部分を含み得る。さらに、第１の部分、第２の部分、および第１のアームは、折り畳み構成の第１のレセプタクルを形成することができる。第１のレセプタクルはバッテリを受容することができる。さらに、第３の部分、第４の部分、および第５の部分は、折り畳み構成で第２のレセプタクルを形成することができる。第２のレセプタクルは、キューブフェライトコアを受容することができる。
【０００６】
前段落の可撓性回路は、以下の特徴の任意のサブコンビネーションを有することができる。ここで、第１の部分は第２の部分と実質的に平行に配置することができる。第５の部分は、折り畳み構成において第１の部分および第２の部分と実質的に平行に配置することができる。第３の部分は、第４の部分に対して実質的に垂直に配置することができる。第５の部分は、折り畳み構成において第３の部分および第４の部分に対して実質的に垂直に配置することができる。第１のアンテナは第１の送信信号を第１の方向に送信することができる。第２のアンテナは第２の送信信号を第２の方向に送信することができる。第３のアンテナは第３の方向に第３の送信信号を送信することができる。第１の方向は、第２の方向および第３の方向に対して実質的に垂直であり得る。第２の方向は、第１の方向および第３の方向に対して実質的に垂直であり得る。第３の方向は、第１の方向および第２の方向に対して実質的に垂直であり得る。第１のレセプタクルは第１のアームの長さに比例した容積を有することができる。可撓性回路は、第１のレセプタクル内に配置されたバッテリを含み得る。可撓性回路は、第２のレセプタクル内に配置されたフェライトコアをさらに備えてもよい。可撓性回路は、カメラユニットと一体化することができる。可撓性回路は、光放射を検出し、フォトダイオードスイッチがオンにされたときに検出された光放射に応答して電気部品の動作を起動するためのフォトダイオードスイッチを備えてもよい。特定の実施形態において、錠剤カプセルは可撓性回路を含み得る。さらに、錠剤カプセルは、正、負、または中性の浮力を有することができる。
【０００７】
特定の実施形態では、錠剤カプセルに挿入するために可撓性回路を折り畳む方法には、第１の電気接点を有する第１の部分を折り曲げてバッテリの第１端子と電気的に接続する工程、第２の電気接点を有する第２の部分を折り曲げてバッテリの第２端子と電気的に接続する工程、第１の部分と第２の部分とを隔てる長さを有する第１のアームを折り曲げて第１の部分と第２の部分との間に配置する工程、キューブフェライトコアの第１の側に位置するように第３の部分を折り曲げる工程、キューブフェライトコアの第２の側に位置するように第４の部分を折り曲げる工程、キューブフェライトコアの第３の側に位置するように第５の部分を折り曲げる工程を含み得る。さらに、第３の部分は、折り畳み構成の第１の方向に第１の送信信号を生成するための第１のアンテナを含むことができ、第４の部分は、折り畳み構成の第２の方向に第２の送信信号を生成するための第２のアンテナを備えてもよく、また、第５の部分は、折り畳み構成において第３の方向に第３の送信信号を生成するための第３のアンテナを備えてもよい。
【０００８】
前段落の方法は、以下の特徴のいずれかのサブコンビネーションを有することができる。第１の部分は、折り畳み構成において第２の部分と実質的に平行に配置される。第５の部分は、折り畳み構成において第１の部分および第２の部分と実質的に平行に配置される。第３の部分は、折り畳み構成において第４の部分および第５の部分に対して実質的に垂直に配置される。第５の部分は、折り畳み構成において第３の部分および第４の部分に対して実質的に垂直に配置される。第１の方向は、第２の方向および第３の方向に対して実質的に垂直である。第２の方向は、第１の方向および第３の方向に対して実質的に垂直である。ここで、第３の方向は、第１の方向および第２の方向に対して実質的に垂直である。バッテリの第１端子を第１の電気接点と電気的に接続し、バッテリの第２端子を第２の電気接点と電気的に接続するようにバッテリを挿入する工程をさらに含む。キューブフェライトコアの第１の側に配置された第３の部分と、キューブフェライトコアの第２の側に配置された第４の部分と、キューブフェライトコアの第３の側に配置された第５の部分とを有する。
【０００９】
特定の実施形態では、錠剤カプセルに挿入するための可撓性回路を製造する方法は、バッテリの第１端子と電気的に接続するための第１の電気接点を有する第１の部分を製造する工程と、第１の部分と平行に配置され、バッテリの第２端子と電気的に接続するための第２の電気接点を有する第２の部分を製造する工程と、を含み得る。この方法はまた、第１の部分と第２の部分との間に配置され、第１の部分と第２の部分に対して垂直に配置された、第１の部分と第２の部分を分離する長さを有する第１のアームを製造する工程を含む。この方法はまた、キューブフェライトコアの第１の側に配置されるべき第３の部分を製造する工程を含み得る。さらに、この方法は、キューブフェライトコアの第２の側に配置され、第３の部分に対して垂直に配置される第４の部分を製造する工程を含んでもよい。この方法は、キューブフェライトコアの第３の側に配置され、第３の部分および第４の部分に対して垂直に配置される第５の部分を製造する工程も含んでもよい。第３の部分は、第１の方向に第１の送信信号を生成するための第１のアンテナを含み得る。第４の部分は、第２の方向に第２の送信信号を生成するための第２のアンテナを含み得る。第５の部分は、第３の方向に第３の送信信号を生成するための第３のアンテナを含み得る。
【００１０】
前段落の方法は、以下の特徴の任意のサブコンビネーションを有することができる。ここで、第１の方向は、第２の方向および第３の方向に対して実質的に垂直である。第２の方向は、第１の方向および第３の方向に対して実質的に垂直である。ここで、第３の方向は、第１の方向および第２の方向に対して実質的に垂直である。光放射を検出し、検出された光放射に応答して電気部品の動作を起動するステップをさらに含み、フォトダイオードスイッチは光放射を検出して可撓性回路を起動するように構成される。バッテリの第１端子を第１の電気接点と電気的に接続し、バッテリの第２端子を第２の電気接点と電気的に接続するようにバッテリを挿入する工程をさらに含む。キューブフェライトコアの第１の側に配置された第３の部分と、キューブフェライトコアの第２の側に配置された第４の部分と、キューブフェライトコアの第３の側に配置された第５の部分とを有する。
【００１１】
さらに、特定の実施形態では、折り畳まれた可撓性回路を受容することができる錠剤カプセルの位置を検出するためのシステムは、バッテリの第１端子と電気的に接続する電気接点を有する第１の部分、バッテリの第２端子と電気的に接続する電気接点を有する第２の部分、第１のアンテナを含む第３の部分と、第２のアンテナを含む第４の部分と、第３のアンテナを含む第５の部分と、を含むことができる。さらに、第１の部分と第２の部分は第１のレセプタクルを形成することができ、第１のレセプタクルはバッテリを受けることができる。さらに、第３の部分、第４の部分、および第５の部分は、第２のレセプタクルを形成することができる。さらに、第２のレセプタクルは、キューブフェライトコアを受容することができる。
【００１２】
前段落のシステムは、以下の特徴の任意のサブコンビネーションを有することができる。ここで、第１の部分は第２の部分と実質的に平行に配置される。第５の部分は第１の部分および第２の部分と実質的に平行に配置される。第３の部分は第４の部分に対して実質的に垂直である。第５の部分は、第３の部分および第４の部分に対して実質的に垂直である。第１のアンテナは第１の送信信号を第１の方向に送信することができる。第２のアンテナは第２の送信信号を第２の方向に送信することができる。第３のアンテナは第３の方向に第３の送信信号を送信することができる。第１の方向は、第２の方向および第３の方向に対して実質的に垂直である。第２の方向は、第１の方向および第３の方向に対して実質的に垂直である。ここで、第３の方向は、第１の方向および第２の方向に対して実質的に垂直である。第１のレセプタクル内に配置されたバッテリをさらに含む。第２のレセプタクル内に配置されたフェライトコアをさらに含む。可撓性回路の位置を決定するための送信信号のいずれかを受信するための本体アンテナをさらに含む。フォトダイオードスイッチがオンにされたときに、光放射を検出し、検出された光放射に応答して電気部品の動作を起動するように構成されたフォトダイオードスイッチをさらに含む方法。特定の実施形態では、錠剤カプセルは、正の浮力、負の浮力、または中立浮力を有することができる。
【００１３】
特定の実施形態では、錠剤カプセルに挿入することができる可撓性回路は、基部と、基部から延びる第１のアームと、基部から延びる第２のアームとを備えてもよい。さらに、第１のアームは基部の第１の側で折り畳むことができ、第２のアームは第１の側とは反対側の第２の側で折り畳むことができる。さらに、基部、第１のアーム、および第２のアームは、折り畳み構成で第１の凹部および第２の凹部を形成することができる。いくつかの実施形態では、第１の凹部はバッテリを収容することができ、第２の凹部はフェライトコアを収容することができる。
【００１４】
前段落の可撓性回路は、以下の特徴の任意のサブコンビネーションを有することができる。ここで、第１のアームの長さは、バッテリの長さとフェライトコアの長さの合計に実質的に等しい。ここで、バッテリの第１の容積は第１の凹部と実質的に等しく、第２の容積のフェライトコアは第２の凹部と実質的に等しく、それによって空きスペースを減少させる。ベース、第１のアーム、および第２のアームによって形成される容積と、バッテリの体積と、フェライトコアの体積との間の差によって定義される空の体積は、２０％未満である。空の体積が１０％未満であってもよい。第１のアームが第２のアームと実質的に平行に配置されている。基部が第１のアームおよび第２のアームに対して実質的に垂直に配置されている。第１の送信信号を第１の方向に送信することができる第１のアンテナ、第２の送信信号を第２の方向に送信することができる第２のアンテナ、第３の送信信号を第３の方向に送信することができる第３のアンテナを備えてもよい。第１の方向は、第２の方向および第３の方向に対して実質的に垂直である。第２の方向は、第１の方向および第３の方向に対して実質的に垂直である。ここで、第３の方向は、第１の方向および第２の方向に対して実質的に垂直である。第１のレセプタクル内に配置されたバッテリをさらに含む。第２のレセプタクル内に配置されたフェライトコアをさらに含む。光放射を検出し、検出された光放射に応答して電気部品の動作を起動するためのフォトダイオードスイッチをさらに含み、フォトダイオードスイッチはオンに配置される。さらに、錠剤カプセルは可撓性回路を含むことができ、正の浮力、負の浮力、または中立浮力を有することができる。
【００１５】
いくつかの実施形態では、患者に取り付けるための本体アンテナは、１以上の巻数のアンテナコイル、電気コネクタに電気的に接続するための受信回路、同調アンテナコイルを受信に電気的に接続するためのブリッジ、および電気コネクタに物理的に取り付けるための物理的取り付けタブを含み得る。
【図面の簡単な説明】
【００１６】
図面全体を通して、参照符号は、参照される要素間の対応を示すために使用される。図面は、本明細書に記載の特徴の実施形態を例示するために提供されているのであり、その範囲を限定するために提供されているのではない。
【００１７】
【図１】双極子磁場を生成し、送信し、受信し、そして処理する構成要素を備えるカプセルの実施形態を示している。
【００１８】
【図２Ａ】錠剤回路の一実施形態を示している。
【図２Ｂ】錠剤回路の一実施形態を示している。
【図２Ｃ】錠剤回路の一実施形態を示している。
【００１９】
【図３Ａ】カプセル内に挿入するための折り畳み構成にある図２Ａ−図２Ｃの錠剤回路を示している。
【００２０】
【図３Ｂ】フェライトコアおよびバッテリを組み込むための中間折り畳み構成の図２Ａ−図２Ｃの錠剤回路を示している。
【００２１】
【図３Ｃ】錠剤回路、フェライトコア、およびバッテリを含む錠剤カプセルを示す図である。
【００２２】
【図４Ａ】錠剤回路の別の実施形態を示す図である。
【図４Ｂ】錠剤回路の別の実施形態を示す図である。
【図４Ｃ】錠剤回路の別の実施形態を示す図である。
【００２３】
【図５Ａ】錠剤回路の別の実施形態を示す図である。
【図５Ｂ】錠剤回路の別の実施形態を示す図である。
【００２４】
【図６】錠剤を組み立てるためのプロセスの一実施形態を示す図である。
【００２５】
【図７】患者によって飲み込まれた錠剤を追跡するための位置追跡システムのブロック図である。
【００２６】
【図８】光源を使用して錠剤エレクトロニクスを作動させるためのプロセスの実施形態を示している。
【００２７】
【図９Ａ】カメラカプセル製品と一体化された位置追跡ユニットの実施形態を示す図である。
【図９Ｂ】カメラカプセル製品と一体化された位置追跡ユニットの実施形態を示す図である。
【００２８】
【図１０Ａ】本体アンテナに接続される電気コネクタの一実施形態を示す図である。
【図１０Ｂ】本体アンテナに接続される電気コネクタの一実施形態を示す図である。
【００２９】
【図１１Ａ】電気コネクタが設置された本体アンテナの一実施形態を示す図である。
【００３０】
【図１１Ｂ】構成要素が取り付けられていない状態における図１１Ａの本体アンテナの電気的および機械的取り付けタブを示す図である。
【００３１】
【図１２Ａ】図１１Ａ−図１１Ｂの本体アンテナ回路を示している。
【図１２Ｂ】図１１Ａ−図１１Ｂの本体アンテナ回路を示している。
【００３２】
【図１３Ａ】図１１Ａ−図１１Ｂの本体アンテナ回路の側面図を示している。
【図１３Ｂ】図１１Ａ−図１１Ｂの本体アンテナ回路の側面図を示している。
【発明を実施するための形態】
【００３３】
胃腸（ＧＩ）管は、公衆衛生および疾患に対するより関連した発見がなされるにつれて、ますます重要な研究分野となっている。しかしながら、研究が進むにつれて、個々の患者のＧＩシステムを十分に研究し理解することができないため、我々の知識は我々の技術によって制限されている。したがって、適切な診断およびＧＩ運動性のさらなる研究のためには、非常に効率的で、費用効率が高く、非侵襲的であり、容易に実施できるＧＩ管研究の分野における技術的成長が必要である。本明細書に記載のシステムの実施形態は、広範囲の消化管疾患および状態の診断、治療、研究、および監視を進めるための、かかる利点を提供することができる。
【００３４】
本開示における実施形態は、カプセルのような摂取可能なユニットにおける電子機器の統合に関する。一旦飲み込まれると、カプセルは、それが人体から最終的に排除されるまで、口、食道、胃、小腸、大腸、結腸、直腸、および肛門を含む消化管を通って移動することができる。カプセル内の電子機器は、胃腸管を通過する際に信号を送信することができる少なくとも１つのアンテナを含むことができ、それは少なくとも１つの磁場センサ（本体アンテナ）によって検出することができる。本体アンテナについては、２０１４年１０月２１日に出願され、その後、米国特許出願公開公報第２０１５／０１１２１８９号にて公開された「ＮＥＡＲＬＹ  ＩＳＯＴＲＯＰＩＣ  ＤＩＰＯＬＥ  ＡＮＴＥＮＮＡ  ＳＹＳＴＥＭ」と題する米国特許出願にさらに詳細に説明されている。本体アンテナによって収集された信号は、カプセルの位置を決定するためにモジュール式電子ユニット（ＭＥＵ）に送信される。さらに、信号の取得および決定は、以下により詳細に説明されており、（その全体が参照により以下の各出願に開示されている主題のあらゆる目的のために本明細書に組み込まれる。）：２０１４年１０月２１日に出願され「ＮＥＡＲＬＹ  ＩＳＯＴＲＯＰＩＣ  ＤＩＰＯＬＥ  ＡＮＴＥＮＮＡ  ＳＹＳＴＥＭ」と題する米国特許出願公開公報第２０１５／０１１２１８９号、および２０１５年３月２４日に出願され、「ＳＹＳＴＥＭ  ＡＮＤ  ＭＥＴＨＯＤＳ  ＦＯＲ  ＴＲＩＧＧＥＲＩＮＧ  Ａ  ＲＡＤＩＯＦＲＥＱＵＥＮＣＹ  ＴＲＡＮＳＣＥＩＶＥＲ  ＩＮ  ＴＨＥ  ＨＵＭＡＮ  ＢＯＤＹ」と題する米国特許出願公開公報第２０１５／０１９６２２９号。
【００３５】
現在のシステムおよび方法は、ヒトまたは動物によって摂取され得る錠剤またはカプセルに関して説明されているが、これらのシステムおよび方法は、場所を決定するための他の用途においても使用され得る。錠剤の位置は、患者の体に装着されているか、患者の体の近くに配置されている磁界センサによって決定できる。一実施形態では、錠剤の動きを追跡して、胃腸運動の異常、方向性の流れの問題、腸の閉塞、または他の関連する状態があるかどうかを判断することができる。リアルタイムの位置に加えて、錠剤の流速、方向、回転、およびその他の測定値も追跡および監視することができ、これは状態の診断および消化管の研究に関連している。
【００３６】
したがって、本明細書に記載のシステムおよび方法は、患者の健康にとって危険であり、現在では監視することが不可能ではないにしても困難である閉塞、逆流、還流、蠕動、または他のＧＩ状態を識別する能力をシンプル、低コスト、リアルタイム、そして非侵襲的な方法で臨床医に提供することができる。したがって、本明細書に記載のシステムおよび方法は、クローン病、憩室炎、血管異形成症、結腸直腸癌、炎症性腸疾患、腸絞扼、神経障害、対麻痺関連状態、糖尿病性胃不全麻痺、機能性消化不良、過敏性腸症候群、上腹部痛症候群、および感染性および特発性胃不全麻痺を含むがこれらに限定されない多数の疾患および状態の診断および／または治療を容易にし得る。さらに、本明細書に記載のシステムおよび方法は、甲状腺機能低下症／甲状腺機能亢進症、下垂体および副甲状腺疾患、ならびにアジソン病などの内分泌障害を有する患者の治療を容易にすることができる。
【００３７】
当該錠剤の実施形態は、受信本体アンテナに向けて信号を送信するための送信素子を含む、組み込まれた参考文献に記載されているシステムおよび方法において使用することができる。
【００３８】
飲み込まれている間および患者の消化管を通って移動している間に患者に重大な不快感を引き起こさず、飲み込むことができる程度に十分小さく、追跡可能なカプセルが必要とされている。周期がより遅い速度で起こる異常な消化周期を含む、消化周期を通してバッテリ寿命を維持することができる追跡可能なカプセルもまた必要とされている。また、食物粒子が自然に体を通って崩壊する過程における食物粒子の動きおよび流れをシミュレートするのに十分コンパクトであって、追跡可能なカプセルも必要とされている。消化器系は自然に食物粒子を分解するので、ＧＩ異常および疾患を適切に研究するために、食物および廃棄物を模倣するためにカプセルをコンパクトで適切なサイズにする必要がある。
【００３９】
同様に、カプセルが身体内を容易に移動し、胃腸管を通る液体、食物、および廃棄物の移動を再現するように追跡することができる錠剤カプセルも必要とされている。同様に、錠剤カプセルが胃腸管の内腔内のガスまたは流体と共に移動するのに適切な浮力を有する錠剤カプセルも必要とされている。例えば、錠剤は、それが浸漬される流体と同じ密度を有するような中立浮力を有するように製造することができる。錠剤は、それが浸漬される流体よりも密になるように負の浮力を有し、それゆえ流体に沈むように製造することができる。負の浮力を持つ錠剤は、消化管の内腔の液体と一緒に移動する。錠剤は、それが浸漬されている流体よりも密度が低くなるように、正の浮力で製造することもできる。正の浮力を有する錠剤は、消化管の内腔内のガスと共に移動することができる。錠剤は、関心のあるＧＩ状態の種類に応じて、ＧＩ管のガスまたは流体と共に移動するように特定の浮力で製造することができる。
【００４０】
位置追跡に加えて、方向、移動速度、回転、進行方向、および他の測定値を決定し監視することができるカプセルが必要とされている。これらの測定は、消化管の伸張および収縮、ならびに消化管の他の動きなどの消化管の機構を研究するのに役立ち得る。
【００４１】
図１は、いったん飲み込まれると、それが患者の消化管を通って移動するにつれて追跡されるように設計されているカプセル１０の実施形態を示している。カプセル１０は、測定値を決定および監視するための構造要素を含み得る。例えば、カプセル１０はフェライトコア３０を備えてもよい。フェライトコアはいくつかの実施形態では任意選択であり得る。カプセル１０は、さらに少なくとも１つのアンテナを備えてもよい。いくつかの実施形態では、カプセル１０は３つのアンテナを含む。さらなる実施形態では、カプセル１０は３つより多いアンテナまたは３つより少ないアンテナを含む。フェライトコアおよびアンテナ配置の例は、以下により詳細に記載される。
【００４２】
可撓性回路１００は、特定の構成で形成することができる可撓性回路構造を備えてもよい。可撓性回路構造は、錠剤のカプセル化および患者による摂取に適したコンパクトなサイズに配置および折り畳むことができる。可撓性回路構造はまた、以下により詳細に説明するように、バッテリおよび電子機器との電気的干渉を低減するように構成することもできる。
【００４３】
可撓性回路１００は、いくつかの回路素子を収容することができる。回路素子はパルス形成回路およびパルス発生回路を備えてもよい。回路素子は、増幅、フィルタリングおよび電力調整回路素子をさらに備えてもよい。電子回路は、１つまたは複数のアンテナによって直交方向に向けられて送信され、後述するように外部磁場センサまたは本体アンテナによって検出されるように磁場または電磁場のパルスを生成することができる。
【００４４】
これらの回路は、患者が飲み込むかまたは摂取することができる小さなカプセル１０への嵌合および包装を可能にする可撓性回路基板上の特定の設計で配置される。カプセル電子機器は、特定の振幅、周波数、パルス持続時間、パルス繰り返しパターン、およびパルス間隔のパルスを生成することができるプログラムマブルハードウェアプロセッサを備えてもよい。いくつかの実施形態において、プログラマブルハードウェアプロセッサは、最大３つの実質的に直交するアンテナ方向に対するパルスを生成することができる。増幅回路は各パルス信号強度を増加させることができる。フェライトコア３０も信号を増幅することができる。バッテリ２０は、カプセル電子機器に電力を供給することができる。カプセル電子機器は、電力調整回路およびフィルタリング回路を備えてもよい。
【００４５】
錠剤デザイン
図２Ａ−図２Ｃは、折り畳まれていない構成の可撓性回路１００の一実施形態を示している。図２Ａは、折り畳まれていない構成の可撓性回路１００を示している。図２Ｂは、折り畳まれていない構成の錠剤回路の上面１００Ａのカプセル電子機器を示している。図２Ｃは、折り畳まれていない構成にある錠剤回路の底面１００Ｂのカプセル電子機器を示している。
【００４６】
いくつかの実施形態では、可撓性回路１００は、回路を取り付けるための表面積を最大にし、折り畳まれた可撓性回路のサイズを最小にするために可撓性回路１００の両側に回路を備えてもよい。特定の側に配置される回路の種類は、スペースと干渉の制約に基づいて選択することができる。他の実施形態では、可撓性回路１００は、プリント、折り畳み、大量生産を容易にし、生産コストを下げるために片面だけに取り付けられた回路を備えてもよい。いくつかの実施形態では、可撓性回路１００は、折り畳まれた可撓性回路１００のサイズを縮小するために両側に取り付けられた回路を備えてもよい。いくつかの実施形態では、アンテナ１４４ＢＤ、１６４ＢＤ、１９０Ｂはバッテリ２０および参照により本明細書にさらに詳細に記載されているような電子機器との干渉を減らすために可撓性回路１００上に配置される。
【００４７】
いくつかの実施形態では、図３Ｂに示すように、電子機器を折り畳まれた可撓性回路の外側表面に配置できるように、折り畳まれた可撓性回路１００を調整することができる。これにより、可撓性回路１００を広げる必要なく、錠剤電子機器の修理および試験を容易にすることができる。信号発生回路は、ＮＩＤＡキューブコイルを駆動し、これはエポキシまたは他の適切な接着剤でフェライトキューブ３０の３面に固定できる。可撓性回路１００は、折り畳まれた可撓性回路１００の外面が上面１００Ａであり、折り畳まれた可撓性回路１００の内面が底面１００Ｂとなるように、上面１００Ａが外側を向くように折り畳むことができる。
【００４８】
図２Ｂに示されるように、カプセル電子機器には、可撓性回路１００上に配置された１つ以上のハートレー発振器または同様のパルス発生発振器１８４Ａ、１６４ＡＰ、１４４ＡＰ、埋め込み型プログラマブルマイクロコントローラ１１０Ａ、回路を起動および停止するフォトダイオードスイッチ１２２Ａ、１つ以上のバッテリ２０およびフェライトコア３０が含まれる。可撓性回路１００は、３つのハートレー発振器または同様のパルス発生発振器１４４ＡＰ、１６４ＡＰ、１８４Ａを備えてもよい。ハートレー発振器は、発振器１４４ＡＰ、１６４ＡＰ、１８４Ａ間の干渉を最小限に抑えるために、３つの異なるブランチ１４０、１６０、１８０上に配置することができる。マイクロコントローラ１１０Ａは、中央本体１１０の上面１００Ａに配置することができる。図３Ｂに示すように可撓性回路１００を折り畳むと、折り畳んだ可撓性回路１００の外表面にマイクロコントローラ１１０Ａを配置することができる。可撓性回路１００が折り畳まれたとき、マイクロコントローラ１１０Ａの製造および修理が容易になる。可撓性回路１００は、アーム１２２の上面１００Ａにフォトダイオードスイッチ１２２Ａを備えてもよい。図３Ｂに示すように、フォトダイオード１２２Ａは、以下でさらに説明するように、初期錠剤活性化プロセス６００の間に錠剤電子機器を活性化するために光が適用されるように容易にアクセス可能であるように外側表面上にあり得る。折り畳まれた可撓性回路１００は、光源をフォトダイオード１２２Ａに当てることができるように、透明または半透明の錠剤カプセル１０内に挿入することができる。
【００４９】
図２Ｃに示されるとおり、可撓性回路１００は３つのアンテナ部１４４ＢＤ、１６４ＢＤ、１９０Ｂを含む。アンテナ部１４４ＢＤ、１６４ＢＤ、１９０Ｂは、組み込まれた特許文献に開示されているようにループアンテナを備えてもよい。他のすべての電子機器と同様にループアンテナをプリントすることができる。可撓性回路１００は、正極端子部１１０Ｂと負極端子部１２４Ｂとを含む。一実施形態では、可撓性回路１００は、図３Ａおよび図３Ｂに示すように、端子１１０Ｂ、１２４Ｂの両方がバッテリ２０の正極端子および負極端子に接続されるようにバッテリ２０を包む。
【００５０】
図２Ａに示されるように、可撓性回路１００は、中央本体１１０から延在する４つの分岐部１２０、１４０、１６０、１８０を備えてもよい。第１の分岐部１２０は、遠位端に配置することができる電子機器領域１２４を備えてもよい。第１の分岐部１２０は、中央本体１１０と電子機器領域１２４との間に配置されたアーム１２２を備えてもよい。アーム１２２は、電子機器領域１２４の近位で中央本体１１０の遠位に配置することができる。電子機器領域１２４は、可撓性回路１００の底面１００Ｂに負極端子部１２４Ｂを備えてもよい。
【００５１】
第２の分岐部１４０は、遠位端に配置された電子機器領域１４４を備えてもよい。第２の分岐部１４０はまた、電子機器領域１４４と中央本体１１０との間に配置されたアーム１４２を備えてもよい。アーム１４２は、電子機器領域１４４の近位かつ中央本体１１０の遠位に配置することができる。図２Ｂに示すように、電子機器領域１４４Ａの側面１００Ａは、近位部１４４ＡＰおよび遠位部１４４ＡＤを含み得る。ハートレー発振器１４４ＡＰは、電子機器領域１４４の近位部１４４ＡＤの上面１００Ａに配置することができる。図２Ｃに示すように、電子機器領域１４４の底面１００Ｂは、近位部１４４ＢＰおよび遠位部１４４ＢＤを備えてもよい。アンテナ部１４４ＢＤは、電子機器領域１４４の遠位端１４４ＢＤの底面１００Ｂに配置することができる。
【００５２】
第３の分岐部１６０は、遠位端に電子機器部１６４を備えてもよい。第３の分岐部１６０は、中央本体１１０と電子機器部１６４との間に配置されたアーム１６２を備えてもよい。アーム１６２は、電子機器部１６４の近位かつ中央本体１１０の遠位に配置することができる。図２Ｂに示すように、電子機器領域１６４Ａの上面００Ａは、近位部１６４ＡＰおよび遠位部１６４ＡＤを含み得る。ハートレー発振器１６４ＡＰは、電子機器領域１４４の近位部１６４ＡＰの上面１００Ａに配置することができる。図２Ｃに示すように、電子機器領域１６４の底面１００Ｂは、近位部１６４ＢＰおよび遠位部１６４ＢＤを備えてもよい。アンテナ部１６４ＢＤは、電子機器領域１６４の遠位端１６４ＢＤの底面１００Ｂに配置することができる。
【００５３】
第４の分岐部１８０は、２つの電子機器領域、すなわち近位電子機器領域１８４および遠位電子機器領域１９０を備えてもよい。第４の分岐部１８０は、中央本体１１０と近位電子機器領域１８４との間に近位アーム１８２を備えてもよい。近位アーム１８２は、近位電子機器領域１８４の近位であり、中央本体１１０の遠位に配置され得る。第４の分岐部１８０は、近位電子機器領域１８４と遠位電子機器領域１９０との間に配置された遠位アーム１８８を備えてもよい。遠位アーム１８８は、遠位電子機器領域１９０の近位であり、近位電子機器領域１８４の遠位に配置され得る。近位電子機器領域１８４は、可撓性回路１００の底面１００Ｂ上にパワーエレクトロニクスおよび駆動回路１８４Ｂを備えてもよい。遠位電子機器領域１９０は、可撓性回路１００の底面１００Ｂにアンテナ部１９０Ｂを備えてもよい。
【００５４】
図２Ａ−図２Ｂに示すような折り畳まれていない構成では、中央本体１１０と４つの分岐部１２０、１４０、１６０、１８０は、中央本体１１０を中心としてｘ‐ｙ平面または二次元平面上に位置することができる。ｘ軸は、図２Ａ−図２Ｂに示されるように、折り畳まれていない可撓性回路１００の長手方向軸に沿って画定することができる。第２の分岐部１４０および第４の分岐部１８０は、折り畳まれていない可撓性回路１００の長手方向軸に対して実質的に平行に、または中央本体１１０からいずれかの方向にｘ軸に沿って位置することができる。ｙ軸は、ｘ軸に垂直、かつ、折り畳まれていない可撓性回路１００の長手方向軸に垂直に画定することができる。第１の分岐部１２０および第３の分岐部１６０は、折り畳まれていない可撓性回路１００の長手方向軸に対して実質的に垂直に、または中央本体１１０からいずれかの方向にｙ軸に対して実質的に平行に位置することができる。ｚ軸は、ｘ軸とｙ軸の両方に直交する軸として定義することができる。
【００５５】
図３Ａ−図３Ｃに示されるように、可撓性回路１００は折り畳まれて錠剤外側カプセルユニット１８、１２に挿入される。折り畳みプロセス６００は、図６において後述する。ｚ軸は、図３Ａに示されるように錠剤カプセル１０の長手方向軸に沿って画定され得る。  ｚ軸はまた、図３Ａ−図３Ｂに示されるように、折り畳まれた可撓性回路１００の長手方向軸に沿って画定され得る。折り畳まれた可撓性回路１００のこのｚ軸は、挿入時に錠剤カプセル１０のｚ軸と一直線に並べられる。
【００５６】
４つの分岐部１２０、１４０、１６０、１８０のそれぞれは、各アームの長さがｚ軸と実質的に平行な方向に延びるように第１のアームで折り畳むことができる。第１の分岐部１２０は、アーム１２２の長さおよび電子機器領域１２４の長さがｚ軸と平行に延びるように折り畳むことができる。電子機器領域１２４の長さに垂直な電子機器領域１２４の幅は、ｘ軸に平行に延びることができる。
【００５７】
電子機器領域１２４がｘ‐ｙ平面に平行な平面内にあるように、第１の分岐部１２０を再び折り畳むことができる。電子機器領域１２４は、可撓性回路１００の底面１００Ｂ上に底面１２４Ｂを有する。中央本体１１０はまた、可撓性回路１００の底面１００Ｂを有する。電子機器領域底面１２４Ｂは、中央本体底面１１０Ｂに面するように配置することができる。
【００５８】
折り畳まれた可撓性回路１００の表面は、折り畳まれた可撓性回路１００の表面に垂直な法線によって画定することができる。電子機器領域１２４Ｂの底面１００Ｂの法線は、正のｚ軸に実質的に平行であり得る。アーム１２２Ｂの底面１００Ｂの法線は、正のｙ軸に実質的に平行であり得る。中央本体１１０Ｂの底面１００Ｂの法線は、負のｚ軸に実質的に平行であり得る。第２の分岐部１４０は、電子機器領域１４４がｚ軸と実質的に平行に延びるように折り畳むことができる。電子機器領域１４４の長さに垂直な電子機器領域１４４の幅は、ｙ軸に平行に延びることができる。電子機器領域１４４の法線は、ｘ軸と実質的に平行であり得る。
【００５９】
電子機器領域１６４の長さがｚ軸と実質的に平行に延びるように、第３の分岐部１６０を折り畳むことができる。電子機器領域１６４の長さに垂直な電子機器領域１６４の幅は、ｘ軸に平行に延びることができる。電子機器領域１６４の法線は、ｙ軸と実質的に平行であり得る。
【００６０】
第１の分岐部アーム１２２Ｂの底面１００Ｂと第３の分岐部電子機器領域１６４Ｂの底面１００Ｂとは互いに向かい合うように位置決めされてもよい。第１の分岐部アーム１２２Ｂの底面１００Ｂの法線は、正のｙ軸に実質的に平行であり得る。第３の分岐部電子機器領域１６４Ｂの底面１００Ｂの法線は、負のｙ軸に実質的に平行であり得る。
【００６１】
第２の分岐部電子機器領域１４４Ｂの底面１００Ｂと第４の分岐部近位電子機器領域１８４Ｂの底面１００Ｂとは、互いに向き合うように配置されてもよい。第２の分岐部電子機器領域１４４Ｂの底面１００Ｂと第４の分岐部遠位アーム１８８Ｂの底面１００Ｂとは、互いに向き合うように位置決めされてもよい。第２の分岐部電子機器領域１４４、第４の分岐部近位電子機器領域１８４、および第４の分岐部遠位アーム１８８はそれぞれ、ｙ−ｚ平面に平行な平面内にあり得る。第２の分岐部電子機器領域１４４Ｂの底面１００Ｂの法線は、正のｘ軸に実質的に平行であり得る。第４の分岐部近位電子部品領域１８４Ｂの底面１００Ｂの法線は、負のｘ軸に実質的に平行であり得る。第４の分岐部遠位アーム１８８Ｂの底面１００Ｂの法線は、負のｘ軸に対して実質的に平行であり得る。
【００６２】
第４の分岐部１８０は、近位電子機器領域１８４、遠位アーム１８８および遠位電子機器領域１９０の長さがｚ軸と実質的に平行に延びるように折り畳むことができる。近位電子機器領域１８４、遠位アーム１８８、および遠位電子機器領域９０のそれぞれの長さに垂直な幅は、ｙ軸に平行に延びることができる。
【００６３】
遠位電子機器領域１９０がｘ−ｙ平面に平行な平面内にあるように、第４の分岐部１９０を再び折り畳むことができる。電子機器領域１９０は、可撓性回路１００の底面１００Ｂに底面１９０Ｂを有する。電子機器領域１２４は、可撓性回路１００の上面１００Ａに上面１２４Ａを有する。電子機器領域１９０Ｂの底面１００Ｂは、電子機器領域１２４Ａに面するように配置される。第４の分岐部遠位電子機器領域の法線は、負のｚ軸に実質的に平行であり得る。第１の分岐部電子機器領域１２４Ａの上面１００Ａの法線は、負のｚ軸に実質的に平行であり得る。
【００６４】
中央本体１１０、第１の分岐部電子機器領域１２４、第４の分岐部電子機器領域１９０はそれぞれ、ｘ−ｙ平面に平行な平面内に位置することができる。中央本体１１０および第１の分岐部電子機器領域１２４は、互いに平行でかつ互いに適切に離間した平面内にあってバッテリ２０を受けることができる。折り畳まれた回路１００は、中央本体１１０Ｂの底面１００Ｂおよび第１の分岐部電子機器領域１２４Ｂの底面１００Ｂが互いに面するように配置することができる。折り畳まれた回路１００は、中央本体１１０の底面１００Ｂと第１の分岐部電子機器領域１２４Ｂの底面１００Ｂが、バッテリ２０が挿入されるとバッテリ２０に面するように配置することができる。中央本体１１０の底面１００Ｂの法線は、負のｚ軸に実質的に平行であり得る。中央本体１１０の上面１００Ａの法線は、正のｚ軸に実質的に平行であり得る。第１の分岐部電子機器領域１２４Ｂの底面１００Ｂの法線は、正のｚ軸に実質的に平行であり得る。第１の分岐部電子機器領域１２４Ｂの底面１００Ｂの法線は、正のｚ軸に実質的に平行であり得る。
【００６５】
第１の分岐部電子機器領域１２４および第４の分岐部電子機器領域１９０は、フェライトコア３０を受容するように互いに平行でかつ互いに適切に離間された平面内に位置してもよい。折り畳まれた回路１００は、中央本体１１０の底面１００Ｂと第１の分岐部電子回路領域の底面１２４Ｂとが向い合うように配置することができる。折り畳まれた回路１００は、フェライトコア３０がいったん挿入されると第１の分岐部電子機器領域１２４Ａの上面１００Ａおよび第４の分岐部電子機器領域１９０Ｂの底面１００Ｂがフェライトコア３０に面するように配置することができる。中央本体１１０の底面１００Ｂの法線は、負のｚ軸に実質的に平行であり得る。第１の分岐部電子機器領域１２４Ｂの底面１００Ｂの法線は、正のｚ軸に実質的に平行であり得る。電子機器領域１９０Ｂの底面１００Ｂの法線は、正のｚ軸に実質的に平行であり得る。
【００６６】
図３Ａ−図３Ｃは、カプセル内に挿入するための折り畳み構成の錠剤回路を示している。図３Ａ−図３Ｂに示される可撓性回路１００は、構成要素が錠剤カプセル１０内に挿入されることができるように、バッテリ２０およびフェライトコア３０を封入し、それらに接続するために折り畳まれることができる。可撓性回路１００は、３つのアンテナ１４４ＢＤ、１６４ＢＤ、１９０Ｂが、上記の援用されている特許文献に記載されているように、略直交する方向に送信することができる構成に折り畳まれることができる。
【００６７】
図３Ａ−図３Ｂに示すように、折り畳まれた可撓性回路１００は、ｚ軸に沿って折り畳まれた可撓性回路１００のトップレベル２００とボトムレベル３００の２つのレベルがあるように配置することができる。折り畳まれた可撓性回路１００の各レベル２００、３００は、構成要素用の空洞を備えてもよい。いくつかの実施形態では、折り畳まれた可撓性回路１００は、構成要素を挿入するための空洞を備えてもよい。いくつかの実施形態では、折り畳まれた可撓性回路１００は、構成要素を挿入するための２つ以上の空洞を備えてもよい。
【００６８】
バッテリまたはバッテリセット２０は、折り畳まれた可撓性回路１００のトップレベル２００の空洞内に存在する。折り畳まれた可撓性回路１００は、可撓性回路の正極端子部１１０Ｂおよび負極端子部１２４Ｂがトップレベル２００の空洞内に配置されるように構成することができる。正極端子部１１０Ｂおよび負極端子部１２４Ｂは、バッテリ２０の端子端部と電気的に接続するように配置することができる。
【００６９】
バッテリ２０は、単一のバッテリでも複数のバッテリの組み合わせでもよい。いくつかの実施形態において、バッテリ２０は、１．５５Ｖバッテリ、１．５Ｖバッテリ、３．０Ｖバッテリ、または３．６Ｖバッテリであり得る。いくつかの実施形態において、バッテリ２０は、約４ｍｍから約６ｍｍの直径を有するコイン型であり得る。いくつかの実施形態において、バッテリ２０は、約１ｍｍから約３ｍｍの高さを有するコイン型であり得る。いくつかの実施形態では、折り畳まれた可撓性回路１００は、約５ｍｍから約２０ｍｍの寸法を有する略正方形または長方形であり得る。いくつかの実施形態では、バッテリの寿命は最大５日間続くことがある。他の実施形態では、バッテリの寿命は最大１０日間続くことがある。他の実施形態では、バッテリの寿命は１０日より長く続くことがある。バッテリ２０の寿命を延ばすことにより、錠剤１０を、消化サイクル全体を通して、追跡および監視することが可能になる。
【００７０】
フェライトコア３０は、折り畳まれた可撓性回路１００のボトムレベル３００の空洞に挿入することができる。アンテナ部１４４ＢＤ、１６４ＢＤ、１９０Ｂは、折り畳まれた可撓性回路１００のボトムレベル３００に配置することができる。アンテナ部１４４ＢＤ、１６４ＢＤ、１９０Ｂは、フェライトコア３０の３つの実質的に直交する方向に送信するように配置することができる。アンテナ部１４４ＢＤ、１６４ＢＤ、１９０Ｂの法線は、互いに実質的に直交し得る。アンテナ部１４４ＢＤ、１６４ＢＤ、１９０Ｂの法線は、フェライトコア３０を囲むように配置することができる。アンテナ部１４４ＢＤの法線は、ｘ軸と実質的に平行であり得る。アンテナ部１６４ＢＤの法線は、ｙ軸と実質的に平行であり得る。アンテナ部１９０Ｂの法線は、ｚ軸と実質的に平行であり得る。
【００７１】
他の実施形態では、アンテナ部は、第１の分岐部電子機器領域１２４Ａの上面１００Ａに配置されてもよい。折り畳まれた構成では、アンテナ部１２４Ａは、ｘ−ｙ平面と実質的に平行な平面内にあり得る。折り畳まれた構成では、アンテナ部１２４Ａは、バッテリ２０とフェライトコア３０との間に位置し得る。可撓性回路１００は、フェライトコア３０の３つの実質的に直交する方向に送信するための２つの他のアンテナ部を含み得る。
【００７２】
いくつかの実施形態では、折り畳まれた可撓性回路１００は、単一のユニットまたは２つ以上のレベルを有する単一の本体とすることができる。折り畳まれた可撓性回路１００は、構成要素を挿入するための１つまたは複数の空洞を有することができる。可撓性回路は、必要ならば、機能ユニットによって分割することができる。他の実施形態では、折り畳まれた可撓性回路１００は、接続されているいくつかの下位部品、ユニット、または本体を備えてもよい。これにより、各セクションを別々にテスト、修理、交換、製造することができる。さらに、別個の下位部品は、折り畳みの容易さおよび配置の柔軟性を提供し得る。下位部品はまた、錠剤電子機器の他の構成要素を乱すことなく錠剤電子機器をテストし修理することができるように、テストまたは交換を容易にすることができる。効率とバッテリ節約のために、さまざまな下位部品を別々にアクティブにすることもできる。例えば、折り畳まれた可撓性回路１００は、複数のカメラアセンブリ、追跡アセンブリ、アクチュエータおよび他のセンサが存在する別々の副部を備えてもよい。いくつかの実施形態では、可撓性回路１００は２つ以上の分岐部を備えてもよい。他の実施形態では、可撓性回路１００は、様々な電子部品およびアセンブリを含むように４つ以上の分岐部または他の構成を備えてもよい。
【００７３】
いくつかの実施形態では、折り畳まれた可撓性回路１００は、フェライトコア３０のみを囲むように構成することができる。バッテリ２０は、折り畳まれた可撓性回路１００の空洞の外側に配置し、折り畳まれた可撓性回路１００に接続することができる。
【００７４】
電子部品間を電気が流れることを可能にする錠剤カプセル電子機器および回路トレースは、トレースが接触または短絡しないようにトレース間の分離を確実にするように可撓性回路１００上に配置および設計することができる。同様に、可撓性回路１００上の回路トレースは、それらが可撓性回路の折り目で折れないように配置および設計することができる。可撓性回路１００のサイズおよび外側錠剤カプセル１０のサイズは、可撓性回路１００が適切に圧縮されるように最適化することができる。適切な圧縮は、バッテリ２０および他の構成要素が可撓性回路１００と十分に接触することを保証する。外錠剤カプセルおよび可撓性回路１００のサイズの最適化はまた、飲み込み易さのためにカプセルのサイズを最小にすることができる。同様に、アンテナ部１４４ＢＤ、１６４ＢＤ、１９０Ｂは、本体アンテナへの信号放射を最大にするように最適な大きさにすることができる。
【００７５】
可撓性回路１００は、図３Ａ−図３Ｂにおいて折り畳まれた構成で示されている。一実施形態では、可撓性回路１００は、図１および図３Ａ−図３Ｂに示すように回路をコンパクトな構成に折り畳むことを可能にするようなパターンで配置およびレイアウトすることができる。いくつかの実施形態において、折り畳まれた可撓性回路１００は、約５ｍｍから約２０ｍｍの寸法を有する略正方形であり得る。いくつかの実施形態では、折り畳まれた可撓性回路１００は、各辺が約５ｍｍから約２０ｍｍの寸法を有する長方形であり得る。いくつかの実施形態では、折り畳まれた可撓性回路１００は、任意の寸法で約１５ｍｍ以下であり得る。いくつかの実施形態では、折り畳まれた可撓性回路１００は、約１５ｍｍ×約６ｍｍ×約６ｍｍとすることができる。
【００７６】
中央本体１１０は、約５．５ｍｍの寸法を有する略正方形とすることができる。他の実施形態では、中央本体１１０は、約５ｍｍから６ｍｍの寸法を有する略正方形であり得る。いくつかの実施形態では、中央本体１００は、約４ｍｍから１０ｍｍの寸法の略正方形であり得る。他の実施形態では、中央本体１１０は円形、三角形、または他の形状でもあり得る。
【００７７】
電子機器領域１４４、１６４はそれぞれ、約１０．５ｍｍの長さおよび約６ｍｍの幅を有することができる。いくつかの実施形態において、電子機器領域１４４、１６４の長さは、約５ｍｍから約２０ｍｍの範囲であり得る。他の実施形態では、電子機器領域１４４、１６４はまた、円形、三角形、または他の形状であり得る。
【００７８】
アーム１４２、１６２、１８２はそれぞれ、約２．５ｍｍの長さを有することができる。いくつかの実施形態において、アーム１４２、１６２、１８２の長さは、約１ｍｍから約１０ｍｍの範囲であり得る。第１の分岐部アーム１２２は約６．５ｍｍの長さを有することができる。いくつかの実施形態において、第１の分岐部アーム１２２の長さは、約１ｍｍから約１０ｍｍの範囲であり得る。第４の分岐部遠位アーム１８８は、約５ｍｍの長さを有することができる。いくつかの実施形態では、第４の分岐部遠位アーム１８８の長さは、約１ｍｍから約１０ｍｍの範囲であり得る。
【００７９】
いくつかの実施形態では、アーム１２２、１４２、１６２、１８２、１８８は、中央本体１１０および電子機器領域１４４、１６４、１８４、１９０よりも実質的に小さい幅を有することができる。１２２、１４２、１６２、１８２、１８８は、幅が狭いほど、可撓性回路１００の折り畳みを容易にすることができる。他の実施形態では、アーム１２２、１４２、１６２、１８２、１８８は、中央本体１１０および電子機器領域１４４、１６４、１８４、１９０と実質的に同じ幅を有することができる。
【００８０】
第４のアーム近位電子機器領域１８４は、約６ｍｍの寸法を有する略正方形とすることができる。いくつかの実施形態では、第４のアーム近位電子機器領域１８４は、約４ｍｍから１０ｍｍの寸法を有する略正方形であり得る。他の実施形態では、第４のアーム近位電子機器領域１８４はまた、円形、三角形、または他の形状であり得る。
【００８１】
第４のアーム遠位電子機器領域１９０は、約６ｍｍの寸法を有する略正方形とすることができる。いくつかの実施形態では、第４のアーム遠位電子機器領域１９０は、約４ｍｍから１０ｍｍの寸法を有する略正方形であり得る。他の実施形態では、第４のアーム遠位電子機器領域１９０はまた、円形、三角形、または他の形状であり得る。
【００８２】
第１の分岐部電子機器領域１２４は、約６ｍｍの寸法を有する略正方形とすることができる。第１の分岐部電子機器領域１２４は、約４ｍｍから１０ｍｍの寸法を有する略正方形であり得る。他の実施形態では、第１の分岐部電子機器領域１２４はまた、円形、三角形、または他の形状であり得る。
【００８３】
折り畳まれた可撓性回路１００は、約１３ｍｍの高さを有することができる。折り畳まれた可撓性回路は、約６ｍｍの寸法の実質的に正方形のベースを有することができる。上述したように、折り畳まれた可撓性回路１００は、フェライトコア３０およびバッテリ２０のための一つの内部空洞があるように構成することができる。他の実施形態においては、折り畳まれた可撓性回路１００は、フェライトコア３０およびバッテリ２０のためのいくつかの内部空洞があるように構成することができる。折り曲げられた可撓性回路１００、バッテリ２０のサイズ、およびフェライトコア３０のサイズは、自由空間の量が最小になるように最適化することができる。したがって、折り畳まれた可撓性回路１００の体積は、約４６８ｍｍ３となり得る。フェライトコア３０は、約６ｍｍの寸法を有する略立方体であり得る。したがって、フェライトコアの体積は約２１６ｍｍ３となり得る。バッテリ２０は、２個のコインバッテリのセットとすることができる。バッテリ２０は、約５．５ｍｍの高さおよび約６．０ｍｍの直径を有することができる。したがって、バッテリ２０の体積は約１５５．５ｍｍ３となり得る。一実施形態では、折り畳まれた可撓性回路１００の体積と、フェライトコア３０およびバッテリ２０とを合わせた体積との差は、約２０％以下である。他の実施形態では、折り畳まれた可撓性回路１００の体積と、フェライトコア３０およびバッテリ２０とを合わせた体積とは、約１０％以下である。
【００８４】
この折り畳み構成は、小さい、摂取サイズのポリカーボネートカプセル１０に滑り込むことができる。錠剤カプセル１０は、直径約４ｍｍから約１０ｍｍの円形断面を有することができる。錠剤カプセル１０は、約１０ｍｍから約２５ｍｍの長さを有することができる。錠剤カプセル１０は、約２０ｍｍの長さを有することができる。錠剤カプセル１０は、約１２．７ｍｍの直径の円形断面を有することができる。したがって、錠剤カプセル１０の体積は、約２５３３ｍｍ３となり得る。他の実施形態では、錠剤カプセル１０は、約６ｍｍから約１５ｍｍの直径の円形断面を有することができる。
【００８５】
電子機器を含む錠剤カプセル１０の質量は、約２グラムとすることができる。他の実施形態では、電子機器を含む錠剤カプセル１０の質量は、約１グラム未満であり得る。他の実施形態では、錠剤カプセル１０の質量は、約１グラム−約３グラムであり得る。
【００８６】
錠剤カプセル１０の密度は、約０．７８９ｇ／ｃｍ３であり得る。他の実施形態では、錠剤カプセル１０の密度は約１ｇ／ｃｍ３であり得る。他の実施形態において、錠剤カプセル１０の密度は、約０．５ｇ／ｃｍ３から約３ｇ／ｃｍ３の範囲であり得る。
【００８７】
図４Ａ−図４Ｃは、折り畳まれていない構成の可撓性回路４００の別の実施形態を図示している。図４Ａは、折り畳まれていない構成の可撓性回路４００を示している。図４Ａに示すように、可撓性回路４００は、図２Ａ−図２Ｃの可撓性回路１００と同様に、中央本体４１０から延びる４つの分岐部４２０、４４０、４６０、４８０を備えてもよい。図４Ｂは、図４Ａの錠剤回路の上面４００Ａのカプセル電子機器を示している。図４Ｃは、折り畳まれていない構成の可撓性回路４００の底面４００Ｂのカプセル電子機器を示している。カプセル電子機器は、１つまたは複数のハートレー発振器または同様のパルス発生発振器、埋め込み型プログラマブルマイクロコントローラ、および可撓性回路４００上の回路を開始および停止するためのフォトダイオードスイッチを備えてもよい。発振器間の干渉を最小限に抑えるために，ハートレー発振器は異なる分岐部に配置されてもよい。
【００８８】
図４Ｃに示すように、中央本体４１０は、可撓性回路４００の底面４００Ｂに正極端子部４１０Ｂを備えてもよい。電子機器領域４２４は、可撓性回路４００の底面４００Ｂに負極端子部４２４Ｂを備えてもよい。可撓性回路４００は、正極端子部４１０Ｂと負極端子部４２４Ｂとを含む。一実施形態では、可撓性回路４００は、端子４１０Ｂ、４２４Ｂの両方がバッテリの正極端子および負極端子に接続されるようにバッテリを包む。可撓性回路４００は、３つのアンテナ部４４４Ｂ、４６４Ｂ、４８４Ｂを備えてもよい。アンテナ部４４４Ｂ、４６４Ｂ、４８４Ｂは、組み込まれた特許文献に開示されているようにループアンテナを備えてもよい。いくつかの実施形態では、アンテナ部４４４Ｂ、４６４Ｂ、４８４Ｂは、可撓性回路４００のバッテリおよび電子機器との干渉を低減するために可撓性回路４００上に配置される。一つの実施形態では、アンテナ部４４４Ｂ、４６４Ｂ、４８４Ｂがエポキシまたは他の適切な接着剤を使用してフェライトコアに固定されるように可撓性回路４００がフェライトコアに巻き付いてもよい。アンテナ部４４４Ｂ、４６４Ｂ、４８４Ｂは、フェライトコアを囲むように配置することができる。アンテナ部４４４Ｂ、４６４Ｂ、４８４Ｂは、フェライトコアの３つの直交方向に送信するように配置することができる。
【００８９】
図４Ａ−図４Ｂに示されるような折り畳まれていない構成では、中央本体４１０および４つの分岐部４２０、４４０、４６０、４８０は、中央本体４１０を中心としてｘ−ｙ平面または２次元平面内に存在することができる。ｘ軸は、図２Ａ−図２Ｂに示されるように、折り畳まれていない可撓性回路４００の長手方向軸に沿って画定することができる。ｙ軸は、折り畳まれていない可撓性回路４００のｘ軸に対して垂直かつ長手方向軸に対して垂直に定義することができる。ｚ軸は、ｘ軸およびｙ軸の両方に直交する軸として定義することができる。可撓性回路４００は、可撓性回路１００のための折り畳みプロセス６００と同様に折り畳むことができる。可撓性回路４００は、折り畳まれた可撓性回路４００の縦軸が錠剤カプセル１０のｚ軸と実質的に平行になるように折り畳むことができる。図３Ａ−図３Ｃの可撓性回路１００と同様に、可撓性回路４００を折り畳んで錠剤外カプセルユニットに挿入することができる。
【００９０】
図５Ａは、折り畳まれていない構成の可撓性回路５００の別の実施形態を示している。図５Ａは、折り畳まれていない構成の可撓性回路５００を示している。図５Ａに示すように、可撓性回路５００は、図２Ａ−図２Ｃの可撓性回路１００と同様に、中央本体５１０から延びる３つの分岐部５４０、５６０、５８０を備えてもよい。近位は中央本体５１０に向かう方向として定義することができ、遠位は中央本体５１０から離れる方向として定義することができる。
【００９１】
カプセル電子機器は、アンテナ部、１つまたは複数のハートレー発振器または同様のパルス発生発振器、埋め込み型プログラマブルマイクロコントローラ、および可撓性回路４００上の回路を起動および停止するためのフォトダイオードスイッチを備えてもよい。発振器間の干渉を最小限に抑えるために、ハートレー発振器は異なる分岐部に配置されてもよい。マイクロコントローラは、中央本体５１０上に配置することができる。図５Ｂに示すように可撓性回路５００を折り畳むとき、マイクロコントローラを折り畳まれた可撓性回路５００の外側表面上に配置することができる。かかる構成によれば、可撓性回路１００を広げる必要がなく、マイクロコントローラの製造および修理が容易になる。
【００９２】
第１の分岐部５４０は、遠位端に配置することができる電子機器領域５４４を備えてもよい。第２の分岐部５６０は、遠位端に配置することができる電子機器領域５６４を備えてもよい。第３の分岐部５８０は、近位電子機器領域５８４および遠位電子機器領域５９０を備えてもよい。可撓性回路５００は、第１の分岐部電子機器領域５４４Ｄ、第２の分岐部電子機器領域５６４、および第３の分岐部電子機器領域の遠位端５９０に３つのアンテナ部を備えてもよい。アンテナ部５４４Ｄ、５６４、５９０は、組み込まれた特許文献に開示されているようにループアンテナを備えてもよい。
【００９３】
可撓性回路５００は、第３の分岐部電子機器領域５８４上の正極端子部と、第１の分岐部電子機器領域５４４Ｐの近位端に位置する負極端子部とを含む。一実施形態では、可撓性回路５００は、図５Ｂに示すように、端子５８４、５４４Ｐの両方がバッテリ２０の正極端子および負極端子に接続されるようにバッテリ２０を包む。
【００９４】
可撓性回路５００は、図５Ｂでは折り畳み構成で示されている。一実施形態では、可撓性回路１００は、図５Ｂに示されるように回路がコンパクトな構成に折り畳まれることを可能にするようなパターンで配置およびレイアウトされ得る。図５Ｂは、カプセル内に挿入するための折り畳み構成の錠剤回路５００を示している。図５Ａ−図５Ｂに示される可撓性回路５００は、バッテリ２０およびフェライトコア３０を封入し接続するために折り畳まれてもよい。可撓性回路５００、バッテリ２０、およびフェライトコア３０は、錠剤カプセル１０に挿入され得る。可撓性回路５００は、３つのアンテナ５４４Ｄ、５６４、５９０が上述の特許文献で論じられているように略直交する方向に送信できるような構成に、折り畳むことができる。
【００９５】
図５Ｂに示すように、折り畳まれた可撓性回路５００は、バッテリ２０とフェライトコア３０の両方を収容するための単一の空洞が存在するように、調整することができる。折り畳まれた可撓性回路５００は、可撓性回路５００の正極端子部５８４と負極端子部５４４Ｐがバッテリ２０の端子端部と電気的に接続するように、調整することができる。アンテナ部は、フェライトコア３０を取り囲むように配置することができる。アンテナ部は、フェライトコア３０の直交する３方向に送信できるように配置することができる。
【００９６】
折り畳みプロセス
図６は、可撓性回路１００を折り畳んで錠剤１０を組み立てるためのプロセス６００の実施形態を示している。他の実施形態では、可撓性回路４００または可撓性回路５００などの可撓性回路１００の代替構成が、飲み込むのに適した錠剤カプセル１０に挿入されるコンパクトな形で折り畳むことができる。折り畳みプロセス６００は、可撓性回路１００を締め付けることによって実行することができる。可撓性回路１００は、エポキシまたは他の接着剤を使用してフェライトコア３０に固定することができる。可撓性回路１００が折り曲げられてフェライトコア３０の周りに配置されると、エポキシまたは他の接着剤を硬化させるために、可撓性回路１００およびフェライトコア３０を定位置に固定することができる。エポキシは、室温または高温で、または室温に引き続き高温で長期間硬化することができる。折り畳みプロセス６００は、自動化されたもの、手動のもの、またはそれらの組み合わせであり得る。
【００９７】
上述のように、第１の分岐部アーム１２２は、中央本体１１０と電子機器領域１２４との間に配置することができる。ブロック６０２で、フェライトコア３０を第１の分岐部電子機器領域１２４Ａの上面１００Ａに位置合わせして固定することができる。フェライトコアはエポキシまたは他の接着剤で固定することができる。
【００９８】
ブロック６０４で、第１の分岐部１２０は、中央本体１１０からヒンジ点１２６で約９０度に折り畳むことができる。ヒンジ点１２６は、第１の分岐部アーム１２２が中央本体１１０と交わる点とすることができる。ヒンジ点１２６は、中央本体１１０の遠位端および第１の分岐部アーム１２２の近位端に位置決めすることができる。その結果、第１の分岐部１２０の長さは、上で定義したようにｘ−ｙ平面に対して実質的に垂直に、かつ実質的にｚ軸に平行にすることができる。
【００９９】
ブロック６０６で、第１の分岐部１２０を再び折り畳むことができる。第１の分岐部１２０は、第１の分岐部アーム１２２から第２のヒンジ点１２８で約９０度に折り曲げることができる。ヒンジ点１２８は、第１の分岐部アーム１２２が第１の分岐部電子機器領域１２４と交わる点とすることができる。ヒンジ点１２８は、電子機器領域１２４の近位端および第１の分岐部アーム１２２の遠位端に配置されてもよい。その結果、第１の分岐部電子機器領域１２４は、ｘ−ｙ平面に対して実質的に平行に位置することができる。上述のように、中央本体１１０はｘ−ｙ平面内にある。したがって、第１の分岐部電子機器領域１２４は、中央本体１１０と整列して平行に位置することができる。その結果、フェライトコア３０は第１の分岐部電子機器領域１２４Ｂに固定され、中央本体１１０と整列する。第１の分岐部電子機器領域１２４と中央本体１１０との間の距離は、第１の分岐部アーム１２２の長さとすることができる。同様に、フェライトコア３０と中央本体１１０との間の距離は、第１の分岐部アーム１２２の長さとすることができる。
【０１００】
第１の分岐部１２０の最終的な折り畳み構成は、第１の分岐部１２０が３つの垂直な側面を形成するようにＵ字形を作り出すことができる。Ｕ字形の３つの側面は、中央本体１１０、第１の分岐部アーム１２２、および第１の分岐部電子部品領域１２４であり得る。Ｕ字形の３つの側面は、長さがほぼ等しくあり得る。２つの平行な側面は、中央本体１１０および第１の電子機器分岐部領域１２４であり得る。第１の分岐部電子機器領域１２４は、中央本体１１０と実質的に平行な平面内にあり得る。中央本体１１０の底面１００Ｂは、第１の分岐部電子機器領域１２４Ｂの底面１００Ｂと対向し得る。２つの平行な辺はほぼ等しい長さであり得る。Ｕ字形の第３の辺は、２つの平行な辺の間に配置することができ、２つの平行な辺に対して垂直に配置することができる。Ｕ字形の第３の側は、第１の分岐部アーム１２２とすることができる。第１の分岐部アーム１２２は、第１の分岐部電子機器領域１２４および中央本体１１０の平面に対して実質的に垂直とすることができる。第１の分岐部アーム１２２の長さは、ｚ軸と実質的に平行である。第１の分岐部電子機器領域１２４および中央本体１１０は、第１の分岐部アーム１２２の長さの距離だけ離間することができる。Ｕ字形の第３の辺は、Ｕ字形の２つの平行な辺のそれぞれとほぼ同じ長さであり得る。
【０１０１】
ブロック６０８で、第３の分岐部１６０をヒンジ点１６６で約９０度に折り曲げることができる。ヒンジ点１６６は、第３の分岐部アーム１６２が中央本体１１０と交わる点である。ヒンジ点１６６は、中央本体１１０の遠位端であり第３の分岐部アーム１６２の近位端に位置する。結果として、第３の分岐部電子機器領域１６４の長さは、ｘ−ｙ平面に対して実質的に垂直であり、かつｚ軸に対して実質的に平行であり得る。
【０１０２】
第３の分岐部アンテナ部１６４ＢＤは、第２の分岐部電子機器領域１４４の遠位端１６４ＢＤの底面１００Ｂ上にあり得る。第３の分岐部アンテナ部１６４ＢＤが第１の方向に送信できるように、第３の分岐部１６０を折り畳むことができる。第３の分岐部アンテナ部１６４ＢＤは、ｙ軸に実質的に平行な第１の方向に送信することができる。第３の分岐部電子機器領域１６４は、折り畳まれた可撓性回路１００のトップレベル２００およびボトムレベル３００を通って延びる長さを有することができる。第３の分岐部電子機器領域１６４は、近位端１６４ＢＰが折り畳まれた可撓性回路１００のトップレベル２００上にあり、遠位端１６４ＢＤが折り畳まれた可撓性回路１００のボトムレベル３００上にあるように配置することができる。
【０１０３】
第３の分岐部１６０の最終的な折り畳み構成は、第３の分岐部１６０が２つの垂直側面を形成するように、Ｌ字形を作り出すことができる。Ｌ字形の両側は、中央本体１１０および第３の分岐部電子機器領域１６４とすることができる。第３の分岐部電子機器領域１６４の長さは、ｚ軸に実質的に平行であり、かつｘ−ｙ平面に実質的に垂直とすることができる。
【０１０４】
ブロック６１０で、フェライトコア３０を第３の分岐部電子機器領域１６４ＢＤの遠位端の底面１００Ｂ上に配置して固定することができる。フェライトコア３０はエポキシまたは他の接着剤で固定することができる。上述したように、フェライトコア３０は中央本体１１０と整列している。
【０１０５】
ブロック６１２で、第４の分岐部１８０は、ヒンジ点１８６で約９０度に折り畳むことができる。ヒンジ点１８６は、第４の分岐部近位アーム１８２が中央本体１１０と交わる点である。ヒンジ点１８６は、中央本体１１０の遠位端であり第４の分岐部アーム１８２の近位端に位置する。結果として、第４の分岐部１８０の長さは、上で定義されたようにｘ−ｙ平面に実質的に垂直であり、ｚ軸に実質的に平行であり得る。
【０１０６】
ブロック６１４で、第４の分岐部１８０を再び折り畳むことができる。第４の分岐部１８０は、ヒンジ点１９６で約９０度に折り曲げることができる。ヒンジ点１９６は、第４の分岐部遠位アーム１８８が第４の分岐部遠位電子機器領域１９０と交わる点とすることができる。ヒンジ点１９６は、遠位電子機器領域１９０の近位端および第４の分岐部遠位アーム１８８の遠位端に位置する。
【０１０７】
結果として、第４の分岐部遠位電子機器領域１９０は、ｘ−ｙ平面と実質的に平行な平面内に存在することができる。上述のように、中央本体１１０はｘ−ｙ平面内にある。したがって、第４の分岐部遠位電子機器領域１９０は、中央本体１１０と平行で第１の分岐部電子機器領域１２４と平行な平面内に存在することができる。第４の分岐部遠位電子機器領域１９０と中央本体１１０との間の距離は、近位電子機器領域１８４と第４の分岐部遠位アーム１８８の長さであり得る。第４の分岐部遠位電子機器領域１９０と中央本体１１０との間の距離は、第４の分岐部遠位電子機器領域１９０と中央本体１１０との間の距離は、フェライトキューブ３０の長さとすることができる。
【０１０８】
第４の分岐部アンテナ部１９０Ｂは、第４の分岐部遠位電子機器領域１９０Ｂの底面１００Ｂ上にあり得る。第４の分岐部１８０は、第４の分岐部アンテナ部１９０Ｂが第２の方向に送信できるように折り畳むことができる。第４の分岐部アンテナ部１９０Ｂは、アンテナ部１６４ＢＤの第１の方向と実質的に直交し、かつｚ軸と実質的に平行である第２の方向に送信することができる。第４の分岐部アンテナ部１９０Ｂは、折り畳まれた可撓性回路１００のボトムレベル３００に配置することができる。
【０１０９】
第４の分岐部１９０の最終的な折り畳み構成は、第４の分岐部１９０が３つの垂直な側面を形成するようにＵ字形を作り出すことができる。Ｕ字形の３つの側面は、中央本体１１０、第４の分岐部遠位電子部品領域１９０、ならびに第４の分岐部近位電子部品領域１８４と第４の分岐部近位アーム１８６との組み合わせとすることができる。２つの平行な辺は、中央本体１１０および第４の分岐部遠位電子機器領域１９０であり得る。Ｕ字形の２つの平行な側面は、長さがほぼ等しいものとすることができる。第４の分岐部遠位電子機器領域１９０は、中央本体１１０と実質的に平行な平面内にあり得る。中央本体１１０の上面１００Ａは、第４の分岐部電子機器領域１９０Ａの上面１００Ａに面することができる。２つの平行な辺はほぼ等しい長さであり得る。Ｕ字形の第３の辺は、２つの平行な辺の間にかつ２つの平行な辺に対して垂直に配置することができる。第３の辺は、近位電子機器領域１８４および第４の分岐部遠位アーム１８８であり得る。近位電子機器領域１８４および第４の分岐部遠位アーム１８８は、第４の分岐部遠位電子機器領域１９０の平面および中央本体１１０の平面に対して実質的に垂直であり得る。近位電子機器領域１８４および第４の分岐部遠位アーム１８８の長さは、ｚ軸と実質的に平行にあり得る。第４の分岐部遠位電子機器領域１９０および中央本体１１０は、近位電子機器領域１８４および第４の分岐部遠位アーム１８８の長さの距離だけ離間させることができる。Ｕ字形の第３の辺は、その２つの平行な辺の長さよりも長くすることができる。Ｕ字形の第３の辺は、Ｕ字形の２つの平行な辺のそれぞれの長さの約２倍であり得る。
【０１１０】
第４の分岐部遠位電子機器領域１９０は、中央本体１１０と実質的に平行な平面内にあり得る。第４のアーム近位電子機器領域１８４は、第４の分岐部遠位電子機器領域１９０に実質的に垂直かつ中央本体１１０に垂直な平面内にあり得る。第４の分岐部近位電子機器領域１８４および第４の分岐部遠位アーム１８８は、ｚ軸と実質的に平行にあり得る。第４の分岐部遠位電子機器領域１９０および中央本体１１０は、互いに実質的に平行な平面内にあり得る。第４の分岐部遠位電子機器領域１９０および中央本体１１０は、第４の分岐部近位電子機器領域１８４および第４の分岐部遠位アーム１８８の長さの距離だけ離間することができる。
【０１１１】
ブロック６１６で、フェライトコア３０を第４の分岐部遠位電子機器領域１９０Ｂの底面１００Ｂ上に配置して固定することができる。フェライトコア３０はエポキシまたは他の接着剤で固定することができる。上述したように、フェライトコア３０は中央本体１１０と整列している。
【０１１２】
ブロック６１８で、バッテリまたはバッテリセット２０を折り畳まれた可撓性回路１００のトップレベル２００に挿入することができる。折り畳まれた可撓性回路１００を折り畳んで、バッテリ２０を収容するためのオープンケージ状構造を形成することができる。バッテリ２０は、オープンケージのような構造の５つの壁、すなわち、中央本体１１０、第１の分岐部電子機器領域１２４、第１の分岐部アーム１２２、第２の分岐部電子機器領域１４４、および第３の分岐部電子機器領域１６４によって囲まれるように配置され得る。後述するように、第４の分岐部電子機器領域１９０が折り畳まれると、ブロック４１２において、開いたかご状構造が閉じられる。かご状構造の第６の壁は、バッテリ２０を完全に囲むように第４の分岐部近位電子機器領域１８８を備えてもよい。可撓性回路１００は、図３Ａ−図３Ｂに示すように、可撓性回路１００の端子部１１０Ｂ、１２４Ｂがバッテリ２０の正極端子および負極端子に接続されるように、バッテリ２０の周りに折り畳むことができる。
【０１１３】
バッテリ２０は、単一のバッテリまたは複数のバッテリの組み合わせとすることができる。バッテリ２０は、断熱および保護のために熱収縮チューブで包むことができる。熱収縮チューブはポリエステル製であり得る。熱収縮チューブがバッテリ２０の周囲で収縮するように、熱収縮チューブに熱風を当てることができる。熱収縮チューブをバッテリ２０の周囲に配置して、バッテリ２０の負極端子および正極端子が密閉されず、可撓性回路１００の端子部１１０Ｂ、１２４Ｂと接触するようにすることができる。
【０１１４】
正極端子部１１０Ｂは、中央本体１１０Ｂの底面１００Ｂに設けることができる。負極端子部１２４Ｂは、第１の分岐部電子機器領域１２４の底面１００Ｂ上に設けることができる。正極端子部１１０Ｂおよび負極端子部１２４Ｂは、互いに平行に位置し、互いに向き合うことができる。端子部１１０Ｂ、１２４Ｂは、錠剤のｚ軸に対して実質的に垂直な平面内にあり得る。第１の分岐部電子機器領域１２４は、図３Ａ−図３Ｂに示されるように、折り畳まれた可撓性回路１００のトップレベル２００とボトムレベル３００との間の中心にある平面内にあり得る。端子部１１０Ｂ、１２４Ｂがバッテリ２０の対応する正極端部および負極端部と接触するように、端子部１１０Ｂ、１２４Ｂは、互いに平行であり離間した平面内にあり得る。
【０１１５】
ブロック６２０において、第２の分岐部１４０は、ヒンジ点１４６において約９０度で折り畳まれ得る。ヒンジ点１４６は、第２の分岐部アーム１４２が中央本体１１０と交わる点である。結果として、第２の分岐部電子機器領域１４４の長さは、ｘ−ｙ平面に対して実質的に垂直であり、かつｚ軸に対して実質的に平行であり得る。
【０１１６】
第２の分岐部アンテナ部１４４ＢＤは、第２の分岐部電子機器領域１４４の遠位端１４４ＢＤの底面１００Ｂ上にあり得る。第２の分岐部１４０は、第２の分岐部アンテナ部１４４ＢＤが第３の方向に送信できるように折り畳まれ得る。第３の分岐部アンテナ部１６４ＢＤの第１の方向および第４の分岐部アンテナ部１９０Ｂの第２の方向に対して実質的に垂直である。第２の分岐部アンテナ部１４４ＢＤは、ｘ軸と実質的に平行な方向に送信することができる。
【０１１７】
第２の分岐部電子機器領域１４４は、折り畳まれた可撓性回路１００のトップレベル２００およびボトムレベル３００を通って延びる長さを有することができる。近位端１４４ＢＰが最上レベル２００にあり、かつ、遠位端１４４ＢＤが折り畳まれた可撓性回路１００のボトムレベル３００上にあるように、第２の分岐部電子機器領域１４４を位置決めすることができる。
【０１１８】
第２の分岐部１４０の最終的な折り畳み構成は、第２の分岐部１４０が２つの垂直な側面を形成するようにＬ字形を作り出すことができる。Ｌ字形の両側は、中央本体１１０および第２の分岐部電子機器領域１４４とすることができる。第２の分岐部電子機器領域１４４の長さは、ｚ軸と実質的に平行であり、かつｘ−ｙ平面と実質的に垂直とすることができる。
【０１１９】
ブロック６２２で、フェライトコア３０を第２の分岐部電子機器領域１４４ＢＤの遠位部の底面１００Ｂに配置して固定することができる。フェライトコア３０はエポキシまたは他の接着剤で固定することができる。上述したように、フェライトコア３０は中央本体１１０と整列している。
【０１２０】
折り畳まれた可撓性回路１００の最終構成は、それが上述のようにフェライトコア３０を受容するための開放ケージのような構造を形成するように折り畳むことができる。フェライトコア３０または同様のアンテナは、折り畳まれた可撓性回路１００のボトムレベル３００に配置することができる。フェライトコア３０は、オープンケージのような構造の５つの壁によって囲まれるように配置することができる：第１の分岐部電子機器領域１２４Ａ、第２の電子機器領域１４４ＢＤの遠位部、第３の分岐部電子機器領域１６４ＢＤの遠位部、第４の分岐部遠位アーム１８８、および第４の分岐部遠位電子機器領域１９０Ｂである。第１の分岐部電子機器領域１２４Ａの上面１００Ａおよび３つの電子機器領域の底面１００Ｂ（第２の電子機器領域１４４ＢＤの遠位部、第３の分岐部電子機器領域１６４ＢＤの遠位部、および第４の分岐部電子機器領域１９０Ｂ）は、折り畳まれた回路のボトムレベル３００において、全て内側に向くように配置することができる。第１の分岐部電子機器領域１２４Ａの上面１００Ａおよび３つの電子機器領域の底面１００Ｂ（第２の電子機器領域１４４ＢＤの遠位部、第３の分岐部電子機器領域１６４ＢＤの遠位部、および第４の分岐部電子機器領域１９０Ｂ）は、エポキシまたは他の接着剤を用いてフェライトコア３０に固定することができる。可撓性回路１００は、図３Ａ−図３Ｂに示される３つのアンテナ部１４４ＢＤ、１６４ＢＤ、１９０Ｂが外側に面しかつ直交方向に送信するように折り畳まれかつ位置決めされるように、フェライトコア３０の周りに折り畳まれ得る。
【０１２１】
ブロック６２４において、図３Ａに示すように、バッテリ２０およびフェライトコア３０を有する折り畳まれた可撓性回路１００を錠剤カプセルユニット１２、１８に挿入することができる。バッテリ２０およびフェライトコア３０を備えた折り畳まれた可撓性回路１００は、折り畳まれた可撓性回路１００の長手方向軸が錠剤１０の長手方向軸と実質的に平行になるように配置することができる。
【０１２２】
ブロック６２６において、錠剤カプセルユニット１２、１８を閉じて、図４Ｃに示すように、フェライトコア３０およびバッテリ２０を用いて折り畳まれた可撓性回路１００の周りに固定することができる。錠剤カプセル１０は、可撓性回路１００、フェライトコア３０およびバッテリ２０を含むカプセルの内部電子機器を封入するための任意の適切な手段によりスナップ留めまたは固定され得るユニット１８および１２から形成され得る。錠剤カプセル１０は、エポキシまたは他の接着剤を用いて固定することができる。硬化プロセスには、室温での拡張された期間にわたる周囲硬化および高温で拡張された期間にわたるオーブン硬化が含まれ得る。
【０１２３】
錠剤トランスミッター
図７は、患者によって飲み込まれる錠剤７００の位置追跡システムの実施形態を示している。錠剤７００の位置追跡システムの実施形態は、受信機回路７０２、送信機回路７０４、バッテリ７０６、メモリ７０８、プロセッサ７１０、および任意選択のセンサ７１２を備えてもよい。錠剤７００は、１つ以上のハードウェアプロセッサまたはマイクロコントローラ７１０上で実行され得るプログラムされた命令を含み得る。プログラムされた命令は、メモリ７０８に記憶され得る。プログラムされた命令は、本明細書に記載のプロセスに対応し得る。プロセッサ７１０のエンジンおよび他の側面はまた、回路、ＦＰＧＡ、ＡＳＩＣなどのハードウェアとプログラムされた命令との組み合わせで実装され得る。いくつかの実施形態では、プロセッサ７１０は、１つまたは複数のハードウェアプロセッサ上でエンジンを並列に動作させる。
【０１２４】
プロセッサ７１０は、送信機回路７０４を介した信号の送信を制御することができる。位置追跡システム７００は、所定の時間間隔および所定の送信周波数のような波形特性を記憶することができるメモリ７０８を備えてもよい。送信回路７０４は、信号波形を送信するためのアンテナを備えてもよい。いくつかの実施形態では、位置追跡システム５００は複数の送信要素またはアンテナを含む。位置追跡システム５００はまた、以下でさらに議論するように、外部トリガ信号に応答して信号を送信することもできる。受信機回路７０２および送信機回路７０４はアンテナを共有してもよい。（上記の援用された参考文献においてさらに議論されているように、）アンテナは、ループアンテナとすることができる。アンテナは無線通信信号を無線で出力または受信することができる。
【０１２５】
プロセッサ７１０は、所定の時間間隔に基づいて所定の送信周波数で信号を送信することができる。プロセッサ７１０は、錠剤から放出され得るパルスを生成するようにプログラムされ得る。プロセッサ７１０は、錠剤から放出され得る信号を周期的に送信するかまたは連続的に送信するようにプログラムされ得る。一実施形態では、プロセッサ７１０は、錠剤から放出される３つのパルスを生成するようにプログラムすることができる。パルスプログラミングには、１Ｈｚまたは同等の周波数の選択、１送信ウィンドウ当たり１パルス以上のパルス列定義、送信ウィンドウ内のパルス間隔、パルス振幅、パルス周波数およびパルス幅が含まれ得る。位置追跡に加えて、プロセッサ７１０は錠剤の向きも測定することができる。パルスプログラミングは、プロセッサ７１０が本体アンテナ１２００における信号によって錠剤の向きを決定することを可能にする。
【０１２６】
いくつかの実施形態では、パルスは、特定のカプセルを一意に識別し、当該特定のカプセルを患者によって同時にまたは最初の錠剤の後のある時点で摂取された可能性がある別のカプセルと区別するようにプログラムすることができる。任意の数の錠剤を同時に飲み込み追跡することができる。例えば、１つのＭＥＵが、ある臨床環境で使用される場合、プログラミングを使用して患者を他の患者と区別することもできる。プログラミングは錠剤の意図された用途、例えば便秘のための一つのパルス設定、閉塞のためのもの、胃内容排出研究のためのものなど、を区別することもできる。一実施形態では、パルス間のタイミングを区別することができるように、パルスを独自にプログラムすることができる。いくつかの実施形態では、３つのパルスがある場合、第１のパルスと第２のパルスとの間の時間間隔は３０ミリ秒とすることができ、第２と第３のパルスとの間の時間間隔は１０ミリ秒とすることができる。これは特定の錠剤からの異なるパルスを区別することができる。いくつかの実施形態では、錠剤は信号を連続的に送信することができる。他の実施形態では、錠剤は、時間間隔（３０ミリ秒ごと、１秒ごと、３０秒ごと、１分ごと、２分ごと、５分ごと、３０分ごと、１日ごとなど）にわたってパルスを送信することができる。プログラミングを使用して、複数の錠剤が同時に信号を送信して信号間の干渉を引き起こすのを防ぐこともできる。個々の送信パルス繰返し率は、送信している異なる錠剤を区別する異なる搬送波無線周波数に設定することができる。ＭＥＵは、脈拍数のタイミングとは無関係に、結合混合信号測定値から異なる錠剤送信を区別することができる。位置を決定するためのアルゴリズムは、２０１５年３月３０日に出願された、「ＳＹＳＴＥＭ  ＡＮＤ  ＭＥＴＨＯＤ  ＦＯＲ  ＴＲＩＧＧＥＲＩＮＧ  Ａ  ＲＡＤＩＯＦＲＥＱＵＥＮＣＹ  ＴＲＡＮＣＥＩＶＥＲ  ＩＮ  ＴＨＥ  ＨＵＭＡＮ  ＢＯＤＹ」と題する出願番号第１４／６６７，５６３号により詳細に記載されており、参照によりその全体が本明細書に組み込まれる。
【０１２７】
初期錠剤アクティベーション
錠剤７００の位置追跡システムは、受信機回路７０２および送信機回路７０４を備えてもよい。プロセッサ７１０は、受信機回路７０４を介してトリガ信号を受信することに応答して信号を送信することができる。トリガ信号は、錠剤電子機器を起動するために、刺激アンテナ（図示せず）または光源から送信され得る。プロセッサ７１０は、トリガ信号、外部光源、または任意の適用可能な外部トリガに応答して、錠剤電子機器を起動することができる。一実施形態では、可視光、近赤外光、青色光などの短波長光、または他の光が、フォトダイオードまたは光検出器スイッチを作動させることができ、それによってバッテリ９０６を節約するために電子機器をオンおよびオフにすることができる。上記のとおり、フォトダイオードスイッチ１２２Ａは、可撓性回路１００のアーム１２２に配置されてもよい。他の実施形態では、プロセッサ７１０は、磁場スイッチ、圧力作動式スイッチ、またはカプセル１０を開くことなく電子回路を作動させるための他の何らかの機構から信号を受信することができる。
【０１２８】
図８は、光源を使用して錠剤電子機器を起動するためのプロセス８００の実施形態を示している。いくつかの実施形態では、プロセス８００はプロセッサ７１０を使用して実施することができる。他の実施形態では、プロセス８００はフォトダイオードスイッチ１２２Ａによって実施することができる。いくつかの実施形態では、プロセス８００は、磁場スイッチ、圧力作動式スイッチ、またはカプセル１０を開くことなく電子回路を作動させるための他の何らかの機構によって実施することができる。
【０１２９】
ブロック８０２で、プロセッサ７１０は、光源がフォトダイオードスイッチ１２２Ａによって検出された旨の信号を受信することができる。フォトダイオードスイッチ１２２Ａは、通常の室内レベルの照明または太陽光によっては作動されないように調整することができるが、強い外部可視光源（同様に近赤外でもあり得る）によって作動させることができる。外部光源は、静的光源またはパルス光源とすることができる。一実施形態では、外部光源は、錠剤回路を横切ってゆっくりと掃引される静的光源とすることができる。一実施形態では、カプセル設計は、スイッチング光がカプセル１０の表面を通過することを可能にするために、カプセル１０の半透明部分または封入カプセル１０の透明部分を使用することができる。錠剤カプセル１０は、透明または半透明であり得る。いくつかの実施形態において、錠剤カプセル１０または錠剤カプセル１０の半透明部分は、透明または青色または他の任意の色であり得る。ブロック８０４で、プロセッサ７１０は、密封カプセル１０内で錠剤電子機器をオン状態に作動させる。外部光源がフォトダイオードスイッチ１２２Ａ上で意図的に照らされると、プロセッサ７１０は電源回路をオンにすることができる。
【０１３０】
回路はまた、外部光源およびフォトダイオードスイッチ１２２Ａが電子機器をオフにすることを可能にするように設計され得る。ブロック８０６で、プロセッサ７１０は、ブロック８０２と同様に、光源が検出された旨の信号を受信する。ブロック８０８で、プロセッサ７１０は、ブロック８０４と同様に、フォトダイオードスイッチ２１２Ａを再度作動させて、密封されたカプセル内の錠剤電子機器を非作動にする。
【０１３１】
いくつかの実施形態では、光源は、内部の光源ではなく、透明な外側カプセル１０を介した外部の光源であり得る。いくつかの実施形態では、錠剤の外側カプセル１０は、部分的に透明であるか、透明であるか、または不透明であり得る。カプセル電子機器は、いったん起動されるとフォトダイオードスイッチ１２２Ａを起動させることができる内部ＬＥＤまたは他の光源を備えてもよい。
【０１３２】
フォトダイオードスイッチ１２２Ａの代わりに、回路は、カプセル１０を開くことなく電子回路を作動させるための磁界スイッチ、圧力作動式スイッチ、または他の何らかの機構を備えてもよい。いくつかの実施形態では、外側カプセル１０は、部分的に透明であっても、透明であっても、または不透明であってもよい。
【０１３３】
カメラ統合
カプセル内に三次元アンテナを形成するために折り畳むことができる可撓性回路１００の例示的な実施形態を図１に示している。可撓性回路１００は、必要に応じて、機能ユニットによって分割することができる。これにより、回路を別の胃腸カプセル内視鏡検査製品、テザー内視鏡検査製品、または他の用途に統合することが可能になり、位置処理機能および位置処理能力を他の製品に統合してその製品に位置データおよび追跡データを追加することができる。一例は、回路の解析およびその回路のフェライトコア３０または同様のアンテナをカメラカプセル製品に組み込んで、写真の場所と共に写真を胃腸系について収集することを可能にすることである。
【０１３４】
図９Ａ−図９Ｂは、カメラカプセル製品と一体化された錠剤カプセル９００の実施形態を示している。本開示は、可撓性回路１００をフェライトコア３０または同様のアンテナと共にカメラカプセル製品に組み込むことができる。錠剤カプセル９００は、錠剤カプセル９００の一方の側に１組の光学素子９０４および透明ドーム１２を備えてもよい。錠剤カプセル９００は、錠剤カプセル９００の反対側の位置を追跡するための可撓性回路１００を備えてもよい。追跡ユニットは、折り畳まれたアンテナ部、フェライトコア３０およびバッテリ２０を有する可撓性回路１００を備えてもよい。位置追跡ユニットおよびカメラユニットは、図９Ｂに示すように、バッテリ２０がカメラカプセルユニットと位置追跡ユニットとの間の中心にくるように一組のバッテリ２０を共有することができる。他の実施形態では、カメラユニットおよび位置追跡ユニットは、それぞれ、カプセル９００のバッテリ寿命を延ばすために独立したバッテリを有することができる。同様に、位置追跡ユニットおよびカメラユニットは両方とも、錠剤カプセルのサイズを最小にするために単一の可撓性回路に組み込まれ得る。位置追跡ユニットおよびカメラユニットはまた、製造、組み立て、試験および修理を容易にするために独立した回路を有してもよい。これはまた、位置追跡ユニットおよびカメラユニットを独立して起動し制御することを可能にするだろう。
【０１３５】
同様に、カメラユニットおよび位置追跡ユニットは、フォトダイオードスイッチ、磁場スイッチ、圧力作動式スイッチ、または錠剤カプセルを開くことなく電子回路を作動させるための他の何らかの機構などのスイッチを共有することができる。他の実施形態では、カメラユニットおよび位置追跡ユニットは、各ユニットを独立して起動および停止することができるように独立したスイッチを有することができる。同様に、カメラユニットおよび位置追跡ユニットはアンテナ構成要素を共有することができ、または独立したアンテナ構成要素を有することができる。
【０１３６】
カメラユニットは、レンズおよびレンズホルダなどの光学部品９０４を備えてもよい。カメラユニットは、錠剤が患者の体内を移動するときに胃腸系の画像またはビデオを取り込むためにカメラの視野を照らすための発光ダイオード（ＬＥＤ）９０２を備えてもよい。カメラユニットは、画像センサ９０６も備えてもよい。カメラユニットは、胃腸系の画像またはビデオを患者が着用しているかまたは患者の近くに置かれている受信機に送信するための集積回路送信機９０８を備えてもよい。カメラユニットはまた、送信機９０８からデータを受信し、データをデータレコーダに送信するアンテナを備えてもよい。
【０１３７】
錠剤９００の外側カプセルは、カプセルの内部電子機器を封入するための任意の適切な手段でスナップ留めまたは固定され得るユニット１２、１４、１６、１８から形成され得る。いくつかの実施形態において、カプセル１２の一端は、図９Ａに示されるように、カメラユニット側に透明なドームを含み得る。カメラユニット側の透明なドームは、錠剤９００が飲み込まれると、光学系９０４が胃腸管の画像またはビデオを取り込むことを可能にする。かかる実施形態においては、錠剤９００の外側カプセルの他のユニット１８、１６、１４は、不透明または透明であり得る。
【０１３８】
いくつかの実施形態では、錠剤９００の外側カプセルは、ユニット１２、１４、１６、１８で形成することができる。一実施形態では、錠剤９００の外側カプセルは、両端部ユニット１２、１４に透明なドームを有することができる。外側カプセルの第１の端部ユニット１２は、上述のようにカメラユニット用の透明なドームを備えてもよい。外側カプセルの他方の端部ユニット１４は錠剤９００の位置追跡ユニット側に透明ドームを含むこともできる。上記のように、錠剤９００の位置追跡ユニット側の透明ドームは光源が錠剤９００を作動させることができるようにすることができる。他の実施形態は、縦軸に沿って錠剤カプセル９００の両側にカメラ光学系を備えてもよい。位置追跡ユニットは、錠剤９００の両側のカメラ光学系の間の錠剤９００の中心に配置することができる。
【０１３９】
他の実施形態では、カプセルの他端１４は不透明であり得る。位置追跡ユニットの光スイッチは、カプセルの第１の端部１２上の透明ドームの近くに配置することができ、それによって、透明ドームを通る光がフォトダイオードスイッチに到達して錠剤電子機器を作動させることができる。あるいは、カメラユニットのＬＥＤ９０２は位置追跡ユニットのフォトダイオードスイッチを作動させることができる。
【０１４０】
別の実施形態では、光学系９０４は、錠剤９００の長手方向軸に沿って錠剤９００の中心に配置することができる。当実施例においては、錠剤９００の長手方向に沿って設けられた錠剤９００の外側カプセルの中央部ユニット１６は、錠剤９００が飲み込まれた後に光学系９０４が胃腸管の画像またはビデオをキャプチャすることを可能にするために、透明であり得る。錠剤９００の外側カプセルの透明部分は、上述のようにフォトダイオードスイッチが光源によって作動されることを同様に可能にするであろう。
【０１４１】
フェライトコア３０または同様のアンテナを有する可撓性回路１００はまた、内視鏡検査に一体化されることがあり、内視鏡検査処置中に内視鏡先端の位置を提供し得る。さらに、他の応用方法もあり得る。
【０１４２】
上述のように、本発明によれば、錠剤の位置と同様に錠剤の向きも追跡することができる。この位置および向きの情報は、消化管をよりよく理解するために、カメラユニットによって撮影された画像およびビデオにリンクさせることができる。
【０１４３】
コネクタ
図１０Ａ−図１０Ｂは、電気コネクタ１０００の一実施形態を示している。電気コネクタ１０００は、図１１Ａに示すように本体アンテナ１２００に接続することができる。いくつかの実施形態では、この設計により、本体アンテナ１２００を迅速かつ確実にケーブルに取り付けることが可能になるが、本体アンテナ１２００を使い捨てにすることができるように容易に取り外すことができるが、ＭＥＵ信号・電力ケーブルおよびコネクタ１０００は再使用できる。
【０１４４】
いくつかの実施形態では、電気コネクタ１０００は、物理的取り付けのために本体アンテナタブ１２１０と位置合わせされてもよい。電気コネクタ１０００は、本体アンテナ１２００を機械的に取り付けてしっかりと保持するために、プラスチックまたは他の材料で作られた直交ポストを有する固定具を備えてもよい。図１１Ａ−図１１Ｂに示されるように、電気コネクタ１０００は、１２１０で示される本体アンテナタブの穴１２１２と位置合わせできる穴１０１２を備えてもよい。電気コネクタ１０００および本体アンテナ１２００は物理的に取り付けることができる。いくつかの実施形態では、物理的アタッチメントは、ファスナー、マジックテープ、のり、その他の接着剤、テープ、スナップフィット、ねじ、またはその他の適切な手段によって取り付けることができる。
【０１４５】
本体アンテナ１２００は、本体アンテナ１２００を電気コネクタ１０００に容易に取り付けるように設計することができる物理的取り付けタブ１２１０を備えてもよい。この設計は、臨床用途または他の使用時に迅速な取り付けおよび取り外しを可能にすることができる。本体アンテナ１２００は、３つのタブを含み、２つは物理的取り付け１２１０用であり、１つは中央に電気的インターフェース１２２０用である。電気タブ１２１０および機械的取り付けタブ１２１０は、より確実で機械的に堅牢な取り付けを提供するために補強材を使用できる。図１２Ａ−図１２Ｂに示される中央タブ１０２０は、電気コネクタ１０００に差し込むことができる。電気コネクタ１０００は、ＭＥＵ電子信号ケーブル（図示せず）に接続する。
【０１４６】
本体アンテナ
図１２Ａ−図１２Ｂは、本体アンテナ１２００の実施形態を示している。本体アンテナ１２００は、本明細書では磁場または電磁場センサ１２００とも呼ばれる。本体アンテナ１２００は、１つまたは複数のワイヤターンの同調アンテナコイルあるいは錠剤磁場送信を検出するためのループアンテナコイル１２４０を備えてもよい。本体アンテナ１２００は、さらに、検出された信号のための信号調整および増幅回路、ならびに不要な信号を除去するためのノイズフィルタリングを備えることができる受信回路１２２０を備えてもよい。受信回路１２２０は、信号と電力の両方を運ぶケーブルに回路をインターフェースするためにコネクタ１０００に挿入することができる。
【０１４７】
本体アンテナ１２００はまた、プラスチック、紙、またはこれらの構成要素のための他の材料の基板を含み得る。回路基板は、可撓性または硬質の基板を有することができる。図１３Ａは、３ミルのポリエステル材料としての基板を示しているが、様々な厚さおよび可撓性の多数の異なる材料を本体アンテナ１２００用の基板として使用することができる。本体アンテナ１２００は、プラスチック、紙、他の材料、または封筒、または他のエンクロージャ内などの封入材料に収容することができ、該封入材料は、アンテナが患者に取り付けられているとき、または患者の近くに置かれているときに、電子機器および患者を保護することができる。本体アンテナ１２００は、アンテナを患者の身体に直接取り付け、シャツ、ベスト、バンド、または他の着用可能なアイテムに取り付けて固定するために、片面または両面に接着剤、マジックテープ、または他の材料を含み得る。
【０１４８】
１個から８個以上のまたはそれ以上の本体アンテナ１２００は、所定の構成で、潜在的には患者の前面、側面、および／または背面に取り付けることができる。これらの位置は、患者内の錠剤位置を決定するために信号処理システムによる入力として使用することができる。この配置は、下部腸管監視、または胃監視などの特定の状態に特有のものでもよく、または完全な胃腸系監視のためにより一般的なものでもよい。
【０１４９】
コネクタ１０００は、受信回路１２２０を、信号および電力を搬送するワイヤセットまたはケーブルにインターフェースする。本体アンテナ１２００とインターフェースする該コネクタ１０００を図１１Ａに示している。本体アンテナケーブルは、上記の参考文献でさらに論じられているように、錠剤位置の信号分析および処理のためにＭＥＵに接続することができる。いくつかの実施形態では、信号分析および処理は外部計算システムによって実行することができ、ＭＥＵからの信号は外部計算システムに無線で送信することができる。
【０１５０】
図示するとおり、本体アンテナ１２００は、受信コイルまたは本体アンテナコイル１２４０を配置するための八角形の領域を備えてもよい。本体アンテナ１２００は、八角形の領域で図示されているが、円形、正方形、または四角形でもよい。伝統的な印刷および製造方法では湾曲配置において困難を伴うことがあるので、八角形領域は、円形領域に比べて製造および印刷を容易にすることができる。別の実施形態では、この領域は、表面積を増大させ、それ故信号を増大させるために円形とすることができる。他の実施形態では、領域は円形であり得、これは表面積を増大させてシグナルを改善することができる。一実施形態では、本体アンテナ１２００は、受信回路１２２０および物理的取り付けタブ１２１０を含む八角形領域の縁からの延長部を含む。図１２Ｂは、電子コネクタ１０００に挿入された本体アンテナ１２００の受信回路１２２０の拡大図を示している。
【０１５１】
受信コイル１２４０は、可撓性回路の八角形の周囲の周りに１巻またはそれ以上の巻数の導体を備えてもよい。受信コイル１２４０は、本体アンテナ回路内の構成要素となるように電気的に調節およびフィルタリングされて、カプセルアンテナ放射に対するその周波数応答を最適化し、可能な限りノイズおよび干渉を低減することができる。
【０１５２】
いくつかの実施形態では、受信コイル１２４０は、可撓性回路基板上に印刷することができる。図１３Ａは、本体アンテナ１２００の回路の側面図を示している。いくつかの実施形態では、さらなる印刷のためのベースとして機能するように基板を最初に配置することができる。いくつかの実施形態では、ブリッジ１２３０を使用して数巻の導体１２４０を受信回路１２２０に接続することができる。ブリッジ１２３０は、図１３Ａに示すように銀インクなどの導電性インクの層間に配置できる絶縁体を備えてもよい。ブリッジ１２３０を用いることにより、製造および印刷を容易にすることができる。製造中、プリンタは、本体アンテナ１２００の周囲に数巻の導体１２４０を印刷することができる。印刷の開始点は、受信回路１２２０に接続することができる。次に、プリンタは、本体１２００の周囲に数巻の導体１２４０を印刷することができる。印刷の終わりに、受信回路１２２０への最後の接続点は、回路を通る適切な電流の流れがあるようにブリッジ１２３０上に配置されてもよい。これにより製造工程が最小限に抑えられ、製造コストおよび複雑さが低減される。
【０１５３】
本体アンテナ１２００は、本体アンテナ１２００をケーブルアセンブリに容易に取り付けるように設計され得る物理的取り付けタブ１２１０を含み得、臨床的または他の使用の際に電気コネクタ１０００からの迅速な取り付けおよび取り外しを可能にする。本体アンテナ１０００のタブ構成は、３つのタブ、物理的取り付け１２１０用の２つ、および電気信号インターフェース用の中央の電気タブ１２２０を備えてもよい。この中央電気タブ１２２０は、ＭＥＵ電子信号ケーブルに接続する電気信号コネクタ１０００に差し込むことができる受信回路１２２０を備えてもよい。電気タブ１２２０および物理的取り付けタブ１２１０は、図１３Ｂに示されるように、より安全で機械的に頑丈な取り付けを提供するために補強材を使用することができる。
【０１５４】
いくつかの実施形態では、本体アンテナコイル１２４０、受信回路１２２０、およびＭＥＵ電子信号ケーブルは、ブリッジ１２３０または電気コネクタ１０００を含める必要がないように、単一の構成要素に統合することができ、これにより、製造の容易さおよび低コストを提供する。
【０１５５】
追加の実施形態
上述の実施形態のいずれも、以下のように修正または追加することができる。
【０１５６】
本明細書に記載の磁気ダイポールアンテナは、胃腸障害の診断または臨床試験用に設計された錠剤トランスポンダーカプセル内の送信または受信アンテナとして使用することができる。３次元アンテナアレイは、患者の身体、典型的には胸部、腹部、および背中に配置されたアンテナを受信することによってカプセルからの信号を最適に検出することを可能にする。ダイポールアンテナアレイによる信号検出は、単純なダイポール配置を用いた場合と比較して、カプセルの向きに対して実質的に敏感ではない可能性がある。
【０１５７】
アンテナは、胃腸運動監視カプセルに使用するために小型にすることができる。アンテナは、一辺が５ｍｍ程度である立方体状のフェライト材料の周りにコイルとして巻かれる。この小さいサイズは、カプセル全体が成人、子供、および高齢者によって容易に飲み込まれることを可能にするが、それでも体外の受信機に信号を送信するその能力において非常に効率的である。
【０１５８】
二次元ダイポールアンテナアレイは、アレイを含むシステムがテーブル、床、または他の平面上にあるような平面用途のための信号方向制御を可能にすることができる。
【０１５９】
二次元または三次元構成のアンテナは、製品上のＲＦＩＤタグ、在庫品、または産業用途などのシステムによって利用されて、そのようなシステムによるＲＦＩＤ信号受信を改善することができる。
【０１６０】
アンテナは、従来のＡＭラジオ、ＦＭラジオ、ＲＦＩＤ、または１ｋＨｚから１００ＭＨｚを超える範囲の他の低周波数または信号通信帯域で送信するシステムまたは装置で使用することができる。
【０１６１】
アンテナは、セルラシステムからデジタルおよびアナログデータの指向性を除去することによってハンドセット受信を改善するために、伝統的な携帯電話通信帯域で送信するシステムまたは装置で使用することができる。
【０１６２】
アンテナは、機器充電回路が誘導結合充電システムと最適に整列していないときの結合効果を向上させるために、携帯電話、ハンドヘルド機器、および他の機器などの誘導結合充電システムで使用することができる。
【０１６３】
アンテナは、錠剤カプセルの壁に埋め込むか、または錠剤カプセルの内側に接着することができる。
【０１６４】
錠剤カプセルは、薬物または治療用の区画を含み得る。錠剤カプセルは、薬物溶出のための膜または薬物放出のための他のメカニズムを含み得る。カプセルの位置が身体を通して追跡されるにつれて、錠剤のプロセッサは、標的治療のために消化管の特定の位置で薬物の溶出を引き起こすことができる。
【０１６５】
錠剤カプセル電子機器は、錠剤が摂取された後に消化管を測定および研究するために、カメラ、化学センサ、ｐＨ計、圧力センサ、流量センサ、および他のセンサを備えてもよい。
【０１６６】
錠剤カプセル電子機器は、消化管に沿って特定の標的を照射するために使用され得る発光ダイオード（ＬＥＤ）、レーザーダイオード（ＬＤ）、またはＵＶダイオードを含み得る。例えば、ＬＥＤ、ＬＤ、ＵＶダイオードは、治療的または消毒的処置のために腸内の特定の部分を標的として表面細菌を殺すことができる。例えば、ＬＥＤまたはＬＤ光源は、消化管の内腔の内面に光化学的変化を生じさせることができる。例えば、ＬＥＤ、ＬＤ、またはＵＶダイオードは、消化管内の病変またはポリープに適用することができる。
【０１６７】
錠剤カプセルはフェライトコアを排除することができる。折り畳まれた可撓性回路は、製造することができ、フェライトコアなしで錠剤カプセルに挿入することができる。いくつかの実施形態では、錠剤カプセルは、代わりに、折り畳まれた可撓性回路の構造を維持するためにプラスチックまたは他の任意の適切な材料で作られた機械的構造を備えてもよい。
【０１６８】
用語
実施形態は、添付の図面に関連して説明されてきた。しかしながら、図は一定の縮尺で描かれていないことを理解されたい。距離、角度などは単に例示的なものであり、例示された装置の実際の寸法およびレイアウトと必ずしも正確な関係を有するわけではない。
【０１６９】
さらに、磁場の方向または信号を参照するときに理解されるべきであるが、それは必ずしも伝送軸の外側に磁場がないことを意味するわけではない。したがって、磁界の方向が送信素子に関して論じられているとき、それは受信素子が最高の磁界を経験することができる場所に関係しているかもしれない。
【０１７０】
用語「実質的に平行な」は、その通常の意味を有することに加えて、２つの軸または平面を説明するために使用される場合、０度、１度もしくはそれ未満、数度、１０度もしくは１５度などのその他の小さな値もしくはそれ未満である第１軸（または平面）と第２軸（または平面）との間の角度を指し示す。さらに、用語「実質的に直交」または「実質的に垂直」は、それらの通常の意味を有することに加えて、２つの軸または平面を説明するために使用される場合、９０度、７５度から１０５度の間、８５度から９５度の間、８０度から１００度の間、８９度から９１度の間、もしくは９０度に近いか、または９０度からのわずかな変動の範囲内である第１軸（または平面）と第２軸（または平面）との間の角度を指し示す。
【０１７１】
用語「凹部」、「レセプタクル」、「空洞」、または「ケージ様構造」は、それらの通常の意味を有することに加えて、完全に囲まれ、部分的に囲まれ、または構造体によって囲まれた領域、空間、または空隙であって、当該領域、空間、または空隙に構成要素を挿入または配置可能なように囲まれているものを指し示す。
【０１７２】
本明細書に記載されたもの以外の多くの他の変形はこの開示から明らかであろう。例えば、実施形態に応じて、本明細書に記載のアルゴリズムのうちのいずれかの特定の行為、イベント、または機能は、異なる順序で実行することができ、追加でき、マージでき、または完全に除外することができる（例えば、本発明のアルゴリズムの実行のために、記載された全ての行為またはイベントが必要であるとは限らない）。さらに、特定の実施形態では、行為またはイベントは同時に実行することができる。例えば、逐次的ではなく、マルチスレッド処理、割り込み処理、または複数のプロセッサもしくはプロセッサコアを通して、または他の並列アーキテクチャ上で実行することができる。さらに、一緒に機能することができる異なるマシンおよび／またはコンピューティングシステムによって、異なるタスクまたはプロセスを実行することができる。
【０１７３】
本明細書に開示された実施形態に関連して説明された様々な例示的な論理ブロック、モジュール、およびアルゴリズムステップは、電子ハードウェア、コンピュータソフトウェア、またはその両方の組合せとして実装することができる。ハードウェアとソフトウェアのこの互換性を明確に示すために、様々な例示的な構成要素、ブロック、モジュール、およびステップは、概してそれらの機能に関して上記で記載されている。そのような機能がハードウェアとして実装されるかソフトウェアとして実装されるかは、特定のアプリケーションおよびシステム全体に課される設計上の制約に依存する。記載された機能は、特定の用途ごとに様々な方法で実施することができるが、そのような実施の決定は、本開示の範囲からの逸脱を引き起こすと解釈されるべきではない。
【０１７４】
本明細書に開示された実施形態に関連して説明された様々な例示的な論理ブロックおよびモジュールは、本明細書に記載の機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、個別のゲートまたはトランジスタロジック、個別のハードウェアコンポーネント、またはそれらの任意の組み合わせなどの機械によって実装または実行できる。汎用プロセッサはマイクロプロセッサとすることができるが、代替として、当該プロセッサは、コントローラ、マイクロコントローラ、または状態機械、それらの組み合わせなどとすることができる。プロセッサは、コンピュータ実行可能命令を処理するための電気回路を備えてもよい。別の実施形態では、プロセッサは、コンピュータ実行可能命令を処理せずに論理演算を実行するＦＰＧＡまたは他のプログラム可能な装置を含む。プロセッサはまた、コンピューティングデバイスの組み合わせ、例えばＤＳＰとマイクロプロセッサの組み合わせ、複数のマイクロプロセッサ、ＤＳＰコアと連携した１つ以上のマイクロプロセッサ、または任意の他のそのような構成として実装することができる。本明細書では、主としてデジタル技術に関して説明したが、プロセッサはまた、主にアナログ構成要素を含むこともできる。例えば、本明細書に記載の信号処理アルゴリズムのいくつかまたはすべては、アナログ回路またはアナログとデジタルの混合回路で実施することができる。コンピューティング環境は、いくつか例を挙げると、マイクロプロセッサ、メインフレームコンピュータ、デジタルシグナルプロセッサ、ポータブルコンピューティングデバイス、デバイスコントローラ、スマートフォン、またはアプライアンス内の計算エンジンに基づくコンピュータシステムを含むがこれらに限定されない任意のタイプのコンピュータシステムを備えてもよい。
【０１７５】
本明細書に開示された実施形態に関連して説明された方法、プロセス、またはアルゴリズムのステップは、ハードウェア、１つ以上のメモリデバイスに格納され１つ以上のプロセッサによって実行されるソフトウェアモジュール、または該ハードウェアおよびソフトウェアモジュールの組み合わせにより直接実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または任意の他の形態の非一時的コンピュータ可読記憶媒体、媒体または当技術分野で知られている物理的コンピュータ記憶装置に存在することができる。例示的な記憶媒体は、プロセッサが記憶媒体から情報を読み取り、記憶媒体に情報を書き込むことができるようにプロセッサに結合することができる。代替として、記憶媒体はプロセッサと一体であってもよい。記憶媒体は揮発性または不揮発性であり得る。プロセッサと記憶媒体はＡＳＩＣ内に存在することができる。ＡＳＩＣはユーザ端末に存在することができる。代替として、プロセッサおよび記憶媒体は、ユーザ端末内に個別の構成要素として常駐することができる。
【０１７６】
本明細書で使用される条件付き言語、例えば、「し得る」、「する可能性がある」、「してもよい」などは、特に、そうでないと記載されない限り、または使用される文脈内で異なる理解がされない限り、一般的に、特定の実施形態は、特定の特徴、要素および／または状態を含むが、他の実施形態はかかる特徴、要素および／または状態を含まない、という意味を伝えることを意図している。したがって、そのような条件付き言語は、一般に、特徴、要素および／または状態が１つまたは複数の実施形態に何らかの形で必要であること、または１つまたは複数の実施形態が実施者の入力またはプロンプトなしでこれらの特徴、要素および／または状態は、任意の特定の実施形態に含まれるかまたは実行されるべきである、という意味を伝えることを意図しているのではない。「備える」、「含む」、「有する」などの用語は同義語であり、両端を問わずに包括的に使用されており、追加の要素、特徴、行為、操作などを排除するものではない。また、「または」という用語は、その包括的な意味で（そしてその排他的な意味でなく）使用されているので、例えば複数の要素を包含するリストをつなぐために使用される場合、「または」という用語は、当該リスト内の一つの要素、いくつかの要素、またはすべての要素を意味する。さらに、本明細書で使用される「それぞれ」という用語は、その通常の意味を有することに加えて、「それぞれ」という用語が適用される一連の要素のうちの任意のサブセットを意味することができる。
【０１７７】
上記の詳細な説明は、様々な実施形態に適用されるような新規な特徴を示し、説明し、指摘してきたが、例示されたデバイスまたはアルゴリズムの形態および詳細における様々な省略、置き換え、および変更が可能である。本開示の精神から逸脱することなく認識されるように、いくつかの特徴は他のものとは別に使用または実行され得るので、本明細書に記載される本発明の特定の実施形態は、本明細書に記載の特徴および利点のすべてを提供しない形態で具体化され得る。
【０１７８】
加えて、「上」、「下」、「上部」、および「下部」などの用語が本明細書を通して使用されている。これらの用語は限定として解釈されるべきではなく、これらの用語は適用可能な図の中における向きに関して使用されている。
【図１】
2020507357.tif 000003
【図２Ａ】
2020507357.tif 000004
【図２Ｂ】
2020507357.tif 000005
【図２Ｃ】
2020507357.tif 000006
【図３Ａ】
2020507357.tif 000007
【図３Ｂ】
2020507357.tif 000008
【図３Ｃ】
2020507357.tif 000009
【図４Ａ】
2020507357.tif 000010
【図４Ｂ】
2020507357.tif 000011
【図４Ｃ】
2020507357.tif 000012
【図５Ａ】
2020507357.tif 000013
【図５Ｂ】
2020507357.tif 000014
【図６】
2020507357.tif 000015
【図７】
2020507357.tif 000016
【図８】
2020507357.tif 000017
【図９Ａ】
2020507357.tif 000018
【図９Ｂ】
2020507357.tif 000019
【図１０Ａ】
2020507357.tif 000020
【図１０Ｂ】
2020507357.tif 000021
【図１１Ａ】
2020507357.tif 000022
【図１１Ｂ】
2020507357.tif 000023
【図１２Ａ】
2020507357.tif 000024
【図１２Ｂ】
2020507357.tif 000025
【図１３Ａ】
2020507357.tif 000026
【図１３Ｂ】
2020507357.tif 000027
【国際調査報告】
2020507357.tif 000028
2020507357.tif 000029
2020507357.tif 000030